(57)【要約】損傷を受けた組織の領域への外因性細胞の投与と電気的エネルギーの適用を含む、生体組織の細胞治療と電気治療のための方法。１適用において、この外因性細胞は組織への投与の前に条件付けされる。１適用において、組み合わされた細胞治療と電気治療は、損傷を受けた心臓組織にｉｎ  ｖｉｖｏで加えられる。このような適用において、最小に侵襲性の手順が細胞治療を適用するために使用され、電気治療は埋め込み可能なパルス発生器を介して提供される。１適用において、埋め込み可能なペースメーカーが、房室遅延を固有の房室遅延と比較して相対的に短く維持したＶＤＤモード又はＤＤＤモードにおいて使用される。
2006511312.tif 000002
【特許請求の範囲】
【請求項１】
細胞治療における心臓組織の少なくとも一部分に外因性細胞を投与された心臓の心臓組織の電気治療システムであって、
電極を備えた１つ又は複数のカテーテル・リード線と、
パルス発生器を備え、
前記パルス発生器が、前記１つ又は複数のカテーテル・リード線へ接続するためのインターフェース、複数のパルス伝達モードについてプログラム可能なコントローラ、前記１つ又は複数のカテーテル・リード線からの電気信号を感知するための感度増幅器を含み、かつ前記細胞治療における外因性細胞を投与した前記心臓組織の少なくとも一部分を予め興奮させるために、治療用電気刺激を与える選択可能なペーシング・モードを含む、
システム。
【請求項２】
前記治療用電気刺激が、前記心臓の固有の房室遅延と比較して短い房室遅延を有するＶＤＤペーシング・モードを含む請求項１に記載のシステム。
【請求項３】
前記治療用電気刺激が、前記心臓の固有の房室遅延と比較して短い房室遅延を有するＤＤＤペーシング・モードを含む請求項１に記載のシステム。
【請求項４】
前記房室遅延が経時的に漸次変動する請求項２、３のいずれかに記載のシステム。
【請求項５】
前記治療用電気刺激が、追加のペーシング・除細動治療の間に、ときどき与えられる先行する請求項のいずれかに記載のシステム。
【請求項６】
前記治療用電気刺激が、一日のある時間に対してプログラム可能である先行する請求項のいずれかに記載のシステム。
【請求項７】
前記治療用電気刺激が、比較的活動的でない期間に対してプログラム可能である請求項６に記載のシステム。
【請求項８】
前記治療用電気刺激が、睡眠時間に対してプログラム可能である請求項７に記載のシステム。
【請求項９】
前記治療用電気刺激が、決まったレベルの応力についてプログラム可能である請求項１から５のいずれかに記載のシステム。
【請求項１０】
前記治療用電気刺激が、決まったレベルの活動についてプログラム可能である請求項１から５のいずれかに記載のシステム。
【請求項１１】
加速度計をさらに含み、前記加速度計のデータが、治療用電気刺激を何時適用すべきかを決定するために使用される請求項１１に記載のシステム。
【請求項１２】
前記治療用電気刺激がプログラマーによって起動される先行する請求項のいずれかに記載のシステム。
【請求項１３】
リード線の配置が、治療用電気刺激のタイプを決定するために使用される先行する請求項のいずれかに記載のシステム。
【請求項１４】
前記１つ又は複数のカテーテル・リード線が、前記治療用電気刺激を加えること、心臓の電気的活動を感知することの一方又は複数のために、各々が１つ又は複数の電極を含む心房リード、第一の心室リード、第二の心室リードを含む先行する請求項のいずれかに記載のシステム。
【請求項１５】
前記治療用電気刺激が、第一の房室遅延と第二の房室遅延を有する二心室性ペーシング・モードを含む請求項１４に記載のシステム。
【請求項１６】
前記治療用電気刺激が、房室遅延と心室間遅延を有する二心室性ペーシング・モードを含む請求項１４に記載のシステム。
【請求項１７】
心臓組織の細胞治療を増強する方法であって、
埋め込み可能なパルス発生器を使用して、ドナー細胞を含む外因性細胞治療剤を投与された心臓組織に電気治療を施すステップを含み、
前記電気治療は、前記ドナー細胞の埋め込み、生存、増殖、分化又は機能の１つ又は複数を増強する方法。
【請求項１８】
前記電気治療がペーシング治療である請求項１７に記載の方法。
【請求項１９】
前記ペーシング治療が、固有の房室遅延と比較して相対的に短い房室遅延を有するＶＤＤモード・ペーシングを含む請求項１８に記載の方法。
【請求項２０】
前記ペーシング治療が、固有の房室遅延と比較して相対的に短い房室遅延を有するＤＤＤモード・ペーシングを含む請求項１８に記載の方法。
【請求項２１】
前記房室遅延が経時的に漸次変動する請求項１９、２０のいずれかに記載の方法。
【請求項２２】
前記ペーシング治療が、第一の房室遅延と第二の房室遅延を有する二心室性ペーシングを含む請求項１８から２１のいずれかに記載の方法。
【請求項２３】
前記ペーシング治療が、房室遅延と心室間遅延を有する二心室性ペーシングを含む請求項１８から２１のいずれかに記載の方法。
【請求項２４】
前記ドナー細胞が自家細胞を含む請求項１７から２３のいずれかに記載の方法。
【請求項２５】
前記ドナー細胞が骨格筋芽細胞を含む請求項１７から２４のいずれかに記載の方法。
【請求項２６】
前記ドナー細胞がｉｎ  ｖｉｔｒｏで条件付けされる請求項１７から２３のいずれかに記載の方法。
【請求項２７】
前記ドナー細胞が培養培地中に配置される請求項２６に記載の方法。
【請求項２８】
前記ドナー細胞が電気的に刺激される請求項２７に記載の方法。
【請求項２９】
前記ドナー細胞が、前記ドナー細胞にペーシング・パルスを伝達することによって電気的に刺激される請求項２８に記載の方法。
【請求項３０】
前記ドナー細胞が、前記ドナー細胞に電場を印加することによって電気的に刺激される請求項２８、２９のいずれかに記載の方法。
【請求項３１】
前記ドナー細胞が機械的に刺激される請求項２７から３０のいずれかに記載の方法。
【請求項３２】
前記ドナー細胞が、前記ドナー細胞を周期的に変形させることによって機械的に刺激される請求項２７から３１のいずれかに記載の方法。
【請求項３３】
前記ドナー細胞が、所定の周波数で前記ドナー細胞を伸長させ弛緩させることによって機械的に刺激される請求項３２に記載の方法。
【請求項３４】
前記ドナー細胞が生物学的に刺激される請求項２７から３３のいずれかに記載の方法。
【請求項３５】
前記ドナー細胞が、前記培養培地に化学的薬剤又は生化学的薬剤を放出することによって生物学的に刺激される請求項３４に記載の方法。
【請求項３６】
前記電気治療が、活動のレベルに基づいて加えられる請求項１７から３５のいずれかに記載の方法。
【請求項３７】
前記電気治療が、一日のある時間に基づいて施される請求項１７から３５のいずれかに記載の方法。
【請求項３８】
前記電気治療が、比較的活動的でない期間の間に施される請求項３７に記載の方法。
【請求項３９】
前記電気治療が睡眠の間に施される請求項３８に記載の方法。
【請求項４０】
前記電気治療が、応力のレベルに基づいて施される請求項１７から３５のいずれかに記載の方法。
【請求項４１】
外因性細胞の埋め込み、生存、増殖、分化又は機能を増強する薬剤を投与するステップをさらに含む請求項１７から４０のいずれかに記載の方法。
【請求項４２】
心機能を増強する薬剤を投与するステップをさらに含む請求項１７から４１のいずれかに記載の方法。
【請求項４３】
血管新生を増強する薬剤を投与するステップをさらに含む請求項１７から４２のいずれかに記載の方法。
【請求項４４】
適用するステップが、前記細胞治療に供された哺乳動物に前記電気治療を適用することを含む請求項１７から４３のいずれかに記載の方法。
【請求項４５】
光ファイバーを含むカテーテルと、
前記カテーテルの遠位末端にある減圧ポートを終端とする減圧チャンネルと、
１つ又は複数の中空針を含む格納式針手段と、
前記格納式針手段を介して材料を注射するための手段と
を含む装置。
【請求項４６】
共通チャンネルが、前記減圧チャンネルと前記格納式針手段のためのチャンネルとして使用される請求項４５に記載の装置。
【請求項４７】
第一のチャンネルが前記減圧チャンネルとして使用され、第二のチャンネルが前記格納式針手段のためのチャンネルとして使用される請求項４５に記載の装置。
【請求項４８】
前記格納式針手段が針アレイを含む請求項４５から４７のいずれかに記載の装置。
【請求項４９】
前記カテーテルがスタイレットを位置決めするためのスタイレット・チャンネルを含み、前記カテーテルが前記スタイレットの位置の関数としてある角度をなするように、その遠位末端で予め曲げられている請求項４５から４８のいずれかに記載の装置。
【請求項５０】
遠位末端を有するカテーテルと、
前記カテーテルの前記遠位末端にある減圧吸引ポートを終端とする減圧チャンネルと、
前記カテーテルの前記遠位末端にある１つ又は複数のイオン泳動電極と
を含む装置。
【請求項５１】
前記カテーテルの前記遠位末端に薬物貯留部をさらに含む請求項５０に記載の装置。
【請求項５２】
前記カテーテルの寸法が、前記カテーテルの前記遠位末端の経静脈的位置決めに対して決められる請求項５０、５１のいずれかに記載の装置。
【請求項５３】
前記カテーテルの直径が、１０フレンチから２４フレンチの間である請求項５２に記載の装置。
【請求項５４】
細胞治療における組織への細胞の投与の前に、前記細胞をｉｎ  ｖｉｔｒｏで条件付けする装置であって、
前記細胞と培養培地を受け入れる培養モジュールと、
前記培養モジュールに結合された心臓電気刺激子と、
前記培養モジュールに結合された心筋応力シミュレータと、
前記培養モジュールに結合された生物学的処理剤投与モジュールと、
前記心臓電気刺激子、前記心筋応力シミュレータ、前記生物学的処理剤投与モジュールに結合されたコントローラと
を含み、前記コントローラは、前記心臓電気刺激子、前記心筋応力シミュレータ、前記生物学的処理剤投与モジュールの１つ又は複数からの１つ又は複数の刺激の伝達を制御する装置。
【請求項５５】
前記細胞への少なくとも１つの電気刺激の伝達を可能とするように、前記電気刺激子に接続されかつ前記培養培地中に配置された２つ以上の電極をさらに含む請求項５４に記載の装置。
【請求項５６】
前記心臓電気刺激子がペースメーカーを含む請求項５４、５５のいずれかに記載の装置。
【請求項５７】
前記心臓電気刺激子が電場発生器を含む請求項５４から５６のいずれかに記載の装置。
【請求項５８】
前記培養モジュールが変形可能な、細胞を培養する培養基材を含む請求項５４から５７のいずれかに記載の装置。
【請求項５９】
前記変形可能な培養基材がシリコン製である請求項５８に記載の装置。
【請求項６０】
前記心筋応力シミュレータが、変速モータと、その変速モータと前記変形可能な培養基材との間で結合された機械的連結部とを含み、前記変速モータと前記機械的連結部が、前記変形可能な培養基材上に較正された周期的な機械的張力を発生させるようになされた請求項５４から５９のいずれかに記載の装置。
【請求項６１】
前記生物学的処理剤投与モジュールが、１つ又は複数の生物刺激剤を前記培養培地中に放出するようになされた１つ又は複数の化学物質ディスペンサーを含む請求項５４から６０のいずれかに記載の装置。
【請求項６２】
前記培養モジュールが、均質な培養培地を生成し、維持するようになされたミキサーを含む請求項５４から６１のいずれかに記載の装置。
【請求項６３】
前記コントローラに結合されたユーザー・インターフェースをさらに含み、前記ユーザー・インターフェースが、コマンドを受容する使用入力を含む請求項５４から６２のいずれかに記載の装置。
【請求項６４】
前記コントローラが、電気刺激、機械刺激、生物刺激の１つ又は複数の系列を自動伝達するための命令を保存するメモリ回路を含む請求項５４から６３のいずれかに記載の装置。
【請求項６５】
前記ユーザー・インターフェースがディスプレイ・スクリーンを含む請求項６３、６４のいずれかに記載の装置。
【請求項６６】
前記培養モジュールに結合されたモニタをさらに含み、前記モニタが前記培養モジュール中の前記細胞を観察するようになされた請求項５４から６５のいずれかに記載の装置。
【請求項６７】
前記モニタが、前記コントローラと前記ユーザー・インターフェースに結合された顕微鏡を含み、前記ディスプレイ・スクリーン上での前記細胞の観察を可能にする請求項６６に記載の装置。
【請求項６８】
細胞治療のためのドナー細胞を調製する方法であって、
培養培地中に前記ドナー細胞を配置するステップと、
心筋の電気的条件をシミュレートする心臓の電気的条件を前記培養培地中に生成するステップと、
前記心筋中の心筋細胞にかかる機械的力をシミュレートする機械的応力を前記ドナー細胞に対して生成するステップと、
前記培養培地に１つ又は複数の外因性薬剤を導入して、前記ドナー細胞の１つ又は複数の生物学的特性を変化させるステップと
を含む方法。
【請求項６９】
前記心臓の電気的条件を生成するステップが、前記ドナー細胞にペーシング・パルスを伝達することを含む請求項６８に記載の方法。
【請求項７０】
前記ペーシング・パルスを伝達するステップが、０．１ボルトから１０ボルトのペーシング電圧と、０．１ミリ秒から１０ミリ秒のペーシング・パルス幅を有するペーシング・パルスを伝達することを含む請求項６９に記載の方法。
【請求項７１】
前記ペーシング・パルスを伝達するステップが、所定の持続時間にわたって連続的に前記ペーシング・パルスを伝達することを含む請求項６９、７０のいずれかに記載の方法。
【請求項７２】
前記ペーシング・パルスを伝達するステップが、１日間から１４日間にわたって連続的に前記ペーシング・パルスを伝達することを含む請求項７１に記載の方法。
【請求項７３】
前記ペーシング・パルスを伝達するステップが、１つ又は複数の非ペーシング期間によって中断される所定の持続時間にわたって、前記ペーシング・パルスを伝達することを含む請求項６９、７０のいずれかに記載の方法。
【請求項７４】
前記ペーシング・パルスを伝達するステップが、１日間から１４日間にわたって、５％から７５％の使用率で前記ペーシング・パルスを伝達することを含む請求項７３に記載の方法。
【請求項７５】
前記心臓の電気的条件を生成するステップが、前記培養培地に電場を印加することを含む請求項６８から７４のいずれかに記載の方法。
【請求項７６】
前記電場を印加するステップが、１メートル当たり１ボルトから１００ボルトの強度を有する電場を印加することを含む請求項７５に記載の方法。
【請求項７７】
前記電場を印加するステップが、所定の持続時間にわたって連続的に前記電場を印加することを含む請求項７５、７６のいずれかに記載の方法。
【請求項７８】
前記電場を印加するステップが、１日間から１４日間にわたって連続的に前記電場を印加することを含む請求項７７に記載の方法。
【請求項７９】
前記電場を印加するステップが、１つ又は複数の非刺激期間によって中断される所定の持続時間にわたって、前記電場を印加することを含む請求項７５、７６のいずれかに記載の方法。
【請求項８０】
前記電場を印加するステップが、１日間から１４日間にわたって、５％から７５％の使用率で前記電場を印加することを含む請求項７９に記載の方法。
【請求項８１】
前記機械的応力を生成するステップが、前記ドナー細胞が周期的に伸長され弛緩されるように、前記ドナー細胞に周期的な機械的力をかけることを含む請求項６８から８０のいずれかに記載の方法。
【請求項８２】
前記機械的応力を生成するステップが、０．２５ヘルツから２ヘルツの所定の周波数で、前記ドナー細胞を、その長さの約５％から２０％、少なくとも１方向に延ばすことを含む請求項６８から８１のいずれかに記載の方法。
【請求項８３】
前記機械的応力を生成するステップが、所定の持続時間にわたって連続的に前記機械的応力を加えることを含む請求項６８から８２のいずれかに記載の方法。
【請求項８４】
前記機械的応力を生成するステップが、１日間から１４日間にわたって連続的に前記機械適応力を加えることを含む請求項８３に記載の方法。
【請求項８５】
前記機械適応力を生成するステップが、１つ又は複数の非刺激期間によって中断される所定の持続時間にわたって、前記機械的応力を適用することを含む請求項６８から８２のいずれかに記載の方法。
【請求項８６】
前記機械適応力を生成するステップが、１日間から１４日間にわたって、５％から７５％の使用率で前記機械適応力を加えることを含む請求項８５に記載の方法。
【請求項８７】
前記１つ又は複数の外因性薬剤を導入するステップが、
分化因子と、
増殖因子と、
血管新生タンパク質と、
生存因子と、
サイトカインと、
血管新生タンパク質、増殖因子、分化因子、生存因子、サイトカイン、心臓細胞特異的な構造遺伝子産物、心臓細胞特異的な転写因子、膜タンパク質とアンチセンス配列の１つ又は複数を含む遺伝子産物をコード化する発現カセット（導入遺伝子）との１つ又は複数を導入することを含む請求項６８から８６のいずれかに記載の方法。
【請求項８８】
前記培養モジュール中の前記ドナー細胞の画像を提供し、ユーザーによる観察を可能にするステップをさらに含む請求項６８から８７のいずれかに記載の方法。
【発明の詳細な説明】
【技術分野】
【０００１】
本発明は、生体組織の組み合わされた細胞治療と電気治療に一般に関し、限定ではなく、特に心臓リズム管理システムを用いた細胞治療と電気治療を使用して生体組織を条件付けするための方法と装置に関する。
【背景技術】
【０００２】
心臓は、身体の残りの部分のみならず心臓自体にも血液をポンピングする唯一の器官である。「心臓発作」又は心筋梗塞は、心臓への適切な血流の喪失が存在する場合に発生する。心臓組織が充分な酸素を得ていない場合、心筋細胞が死亡する確率が高い。心筋梗塞の重篤度は、心臓損傷の量と重篤度さらに機能喪失によって測定される。
【０００３】
心疾患は主要な死亡原因である。心筋梗塞の処置における進歩にもかかわらず、患者は、心臓発作によって引き起こされた損傷に起因する生活の質の低下を被っている。１つのこのような損傷は、心筋梗塞から生じる慢性心不全である。心筋細胞は、いくつかの状況において心筋梗塞の間に死亡し、心臓によって天然に再生されず、また梗塞後の損傷を修復するのに充分な量で再生されない。心筋に対する損傷の重篤度に依存して、心臓拍出量、心臓弁機能、血圧発生能力が大きく低下する。これらの結果は、患者に対する心臓発作の長期にわたる破壊的影響のいくつかを例示するに過ぎない。
【０００４】
損傷を受けた心筋細胞を処置するための１つの方法は、心機能を回復する試みにおいて薬剤治療を与えることである。このような治療は、心臓に対する損傷があまりに重篤な場合には特に有効でない可能性があり、薬剤治療は心筋細胞を再生しないと考えられているが、その代わりに心疾患の心不全への進行に関連すると考えられる特定の分子機構を遮断又は促進するように作用する。
【発明の開示】
【発明が解決しようとする課題】
【０００５】
損傷を受けた心筋のための別の処置は、いわゆる「細胞治療」である。細胞治療は、内因性細胞、自家細胞及び／又は非自家細胞の患者への投与を含む。例えば、損傷を受けた心筋を置換する意図又は損傷を受けた領域の機械的特性を改善する意図で、損傷を受けた心臓組織へ筋原性細胞が注射される。しかし、筋原性細胞の投与は、これらの細胞が植え付くこと又は生存することを確実にせず、機能がかなり低く、細胞治療の有効性を増大させることが当該分野において必要である。
【課題を解決するための手段】
【０００６】
本文書はとりわけ、生体組織の細胞治療と電気治療間での相乗作用のための方法と装置を開示する。種々の実施態様において、本開示は、細胞治療において外因性細胞を処置した心臓の心臓組織、その心臓組織の少なくとも一部分の電気治療のためのシステムを含み、このシステムは、電極を備えた１つ又は複数のカテーテル・リード線とパルス発生器を含み、このパルス発生器は、１つ又は複数のカテーテル・リード線への接続のためのインターフェース、複数のパルス伝達モードについてプログラム可能なコントローラ、１つ又は複数のカテーテル・リード線からの電気信号を感知するための感度増幅器を含み、かつ心臓組織の細胞治療を増強するために治療用電気刺激を与えるための選択可能なペーシング・モードを含む。
【０００７】
種々の実施態様において、この治療用電気刺激は、心臓の固有の房室遅延と比較して短い房室遅延を有するＶＤＤ（又はＤＤＤ）ペーシング・モードを含む。
【０００８】
この治療用電気刺激がさらなるペーシングと除細動治療との間の時点で提供される実施態様、この治療用電気刺激が一日の決まった時刻（例えば、睡眠の間）に対してプログラム可能である実施態様もまた記載される。
【０００９】
この治療用電気刺激が特定のレベルの応力又は特定のレベルの活動についてプログラム可能である実施態様もまた記載される。
【００１０】
いくつか例を挙げれば、この治療がプログラマーによって起動される実施態様、加速度計のデータが治療用電気刺激を何時加えるかを決定するために使用される実施態様、リードの位置が治療用電気刺激のタイプを決定するために使用される実施態様といった種々の実施態様が提供される。
【００１１】
心臓組織の細胞治療を増強するための方法もまた開示され、この方法は、埋め込み可能なパルス発生器を使用して、ドナー細胞を含む外因性細胞治療が施された心臓組織に電気治療を適用するステップを含み、この電気治療は、ドナー細胞の埋め込み、生存、増殖、分化又は機能の１つ又は複数を増強する。ｉｎ  ｖｉｖｏとｉｎ  ｖｉｔｒｏの処置を含む異なる方法が議論される。種々のペーシング治療もまた議論される。１実施態様において、これらの方法は、外因性細胞の埋め込み、生存、増殖、分化又は機能を増強する薬剤を投与するステップを含む。心機能と血管新生の増強もまた議論される。
【００１２】
本記載は、細胞治療のための流体の注射のための針手段を含む、細胞治療のための種々のカテーテルもまた与える。
【００１３】
この概要は、本願の教示のいくつかの概略であり、本発明の対象の排他的又は網羅的な扱いであることが意図されない。本発明の対象についてのさらなる詳細は、詳細な説明と添付の特許請求の範囲中に見出される。本発明の他の態様は、以下の詳細な説明を読んで理解し、かつその一部を構成する図面を見ると当業者に明らかとなり、その各々は限定的意味にとるべきではない。本発明の範囲は、添付の特許請求の範囲とその等価物によって規定される。
【発明を実施するための最良の形態】
【００１４】
図面中、同等の数字はいくつかの図面を通じて類似の構成要素を記述する。異なる文字の接尾詞を有する同等の数字は、それらの構成要素の異なる例を示す。
【００１５】
以下の詳細な説明において、本発明の一部を構成しかつ本発明が実施される例示的な特定の実施形態として示される添付の図面に対して言及がなされる。これらの実施形態は、当業者が本発明を実施できるように充分詳細に記載され、これらの実施形態が組み合わされるか又は他の実施形態が利用できること、ならびに構造的変化、論理的変化、電気的変化が、本発明の精神と範囲から逸脱することなしになされることは理解できるであろうべきである。以下の詳細な説明は実施形態を提供し、本発明の範囲は添付の特許請求の範囲とその等価物によって規定される。
【００１６】
本開示中の「１つの（ａｎ）」、「１つの（ｏｎｅ）」又は「種々の」実施形態に対する言及は、必ずしも同じ実施形態に対するものではなく、このような言及が１つより多い実施形態を意図することに留意すべきである。
【００１７】
定義
「筋肉細胞」又は「筋肉組織」とは、筋肉由来の細胞又は細胞の群を意味し、これには骨格筋や心筋由来の細胞と組織が含まれるがこれらに限定されず、いくつかの実施形態においては平滑筋細胞も含まれる。この用語は、ｉｎ  ｖｉｔｒｏとｉｎ  ｖｉｖｏの両方の筋肉細胞を含む。従って例えば、単離された心筋細胞は、本発明の目的のための「筋肉細胞」を構成するが、ｉｎ  ｖｉｖｏで被験体中に存在する筋組織中に存在しても筋肉細胞を構成する。この用語はまた、分化した筋肉細胞と分化していない筋肉細胞の両方（例えば、筋細胞、筋管、筋芽細胞、分裂中か分化したものの両方の心筋細胞と心筋芽細胞）を包含する。
【００１８】
「心臓細胞」は、分化した心臓細胞（例えば、心筋細胞）又は心臓細胞に分化することになっている細胞（例えば、心筋芽細胞又は心筋原性細胞）を意味する。
【００１９】
「筋細胞」は、ミオシンを含む筋肉細胞である。
【００２０】
「心筋細胞」は、心筋細胞の少なくとも１つの表現型特徴を示す心臓筋細胞系統中の任意の細胞である。このような表現型特徴には、心臓タンパク質（例えば、心臓のサルコメア・タンパク質もしくは筋原繊維タンパク質又は心房ナトリウム利尿因子（ＡＮＰ））の発現、あるいは電気生理学的特徴が含まれる。心臓のサルコメア・タンパク質又は筋原繊維タンパク質には、例えば、心房ミオシン重鎖、心臓特異的心室ミオシン重鎖、デスミン、Ｎ−カドヘリン、サルコメア・アクチン、心臓トロポニンＩ、ミオシン重鎖、Ｎａ／Ｋ  ＡＴＰａｓｅが含まれる。心筋細胞の電気生理学的特徴には、例えば、Ｎａ＋チャンネル電流又はＫ＋チャンネル電流が含まれる。同様に、「骨格筋細胞」とは、骨格筋細胞の少なくとも１つの表現型特徴を示す骨格筋細胞系統中の任意の細胞を意味する。このような表現型特徴には、骨格筋タンパク質（例えば、骨格筋特異的転写因子ＭｙｏＤもしくは骨格筋特異的ミオシン）の発現又は電気生理学的特徴と形態学的特徴（例えば、多核横紋筋繊維への融合）が含まれる。
【００２１】
「心筋」とは、心臓の筋肉部分を意味する。心筋には、以下の３つの主要なタイプの筋繊維が含まれる：心房筋繊維、心室筋繊維、特殊化した興奮伝導筋繊維。
【００２２】
「ベクター」又は「コンストラクト(construct)」（しばしば遺伝子デリバリ(gene delivery)又は遺伝子転移「媒体」(gene transfer "vehicle")と称される）は、ｉｎ  ｖｉｔｒｏ又はｉｎ  ｖｉｖｏのいずれかで宿主細胞にデリバリすべきポリヌクレオチドを含む高分子又は分子の複合体をいう。デリバリすべきポリヌクレオチドは、遺伝子治療のための目的のコード配列を含む。ベクターには例えば、ウイルス・ベクター（例えば、アデノウイルス、アデノ随伴ウイルス（ＡＡＶ）、レンチウイルス、ヘルペスウイルス、レトロウイルス）、リポソームと他の脂質含有複合体、宿主細胞へのポリヌクレオチドのデリバリを媒介する他の高分子複合体が含まれる。ベクターは、遺伝子デリバリ及び／又は遺伝子発現をさらに調節するかあるいは標的化された細胞に有益な特性を他の方法で与える他の成分又は機能性もまた含む。このような他の成分には例えば、細胞への結合もしくは標的化に影響を与える成分（細胞型特異的又は組織特異的な結合を媒介する成分を含む）、細胞によるベクター核酸の取り込みに影響を与える成分、取り込み後の細胞内でのポリヌクレオチドの局在化に影響を与える成分（例えば、核局在化を媒介する薬剤）、ポリヌクレオチドの発現に影響を与える成分が含まれる。このような成分には、ベクターによってデリバリされた核酸を取り込んだ細胞とその核酸を発現している細胞について検出又は選択するために使用できる、検出マーカー及び／又は選択マーカーのようなマーカーもまた含まれる。このような成分は、ベクターの天然の特徴として提供されるか（例えば、結合と取り込みを媒介する成分又は機能性を有する特定のウイルス・ベクターの使用）、あるいはベクターは、このような機能性を与えるように改変される。多数の種々のこのようなベクターが当該分野で公知であり、一般に入手可能である。ベクターが宿主細胞中に維持される場合、このベクターは、自律的構造体として有糸分裂の間に細胞によって安定に複製されるか、宿主細胞のゲノム内に組み込まれるか、又は宿主細胞の核もしくは細胞質中に維持されるかのいずれかである。
【００２３】
「組換えウイルス・ベクター」とは、１つ又は複数の異種の遺伝子又は配列を含むウイルス・ベクターをいう。多数のウイルス・ベクターがパッケージングに関連するサイズ制限を示すので、この異種の遺伝子又は配列は、ウイルス・ゲノムの１つ又は複数の部分を置換することによって典型的に導入される。このようなウイルスは複製欠損になっている可能性があるので、ウイルスの複製とエンキャプシデーション(encapsidation)の間に、欠失された機能が（例えば、複製及び／又はエンキャプシデーションに必要な遺伝子を保有するヘルペスウイルス又はパッケージング細胞株を使用することによって）トランスで提供されることを必要とする。デリバリすべきポリヌクレオチドがウイルス粒子の外側に保有される改変されたウイルス・ベクターもまた記載されている（例えば、Ｃｕｒｉｅｌら、Ｐｒｏｃ．Ｎａｔｌ．Ａｃａｄ．Ｓｃｉ．ＵＳＡ、８８：８８５０（１９９１）を参照のこと）。
【００２４】
「遺伝子デリバリ」、「遺伝子転移」などは、本明細書中で使用する場合、導入のために使用される方法にかかわらず、宿主細胞中への外因性ポリヌクレオチド（しばしば「導入遺伝子」と称される）の導入をいう用語である。このような方法には、ベクター媒介性の遺伝子転移（例えば、ウイルス感染／トランスフェクション又は種々のタンパク質ベースの遺伝子デリバリ複合体もしくは脂質ベースの遺伝子デリバリ複合体による）ならびに「裸の」ポリヌクレオチドのデリバリを促進する技術（例えば、エレクトロポレーション、「遺伝子銃」デリバリとポリヌクレオチドの導入のために使用される他の技術）のような種々の周知技術が含まれる。導入されたポリヌクレオチドは、宿主細胞中で安定に又は一時的に維持される。安定な維持は、導入されたポリヌクレオチドが宿主細胞と適合する複製起点を含むか、又は宿主細胞のレプリコン（例えば、染色体外レプリコン（例えば、プラスミド）又は核染色体もしくはミトコンドリア染色体）中に組み込まれることを典型的に必要とする。多数のベクターが、哺乳動物細胞への遺伝子の移入を媒介することが知られており、当該分野で公知である。
【００２５】
「導入遺伝子」とは、一時的もしくは永続的のいずれかで細胞中に技術によって挿入されて、ゲノム中に組み込まれた場合又は染色体外に維持された場合に生物の一部となる核酸分子（例えば、ＤＮＡ）の任意の断片を意味する。このような導入遺伝子は、トランスジェニック生物に対して部分的又は全体的に異種（すなわち外来）である遺伝子を含むか、あるいはその生物の内因性遺伝子に対して同種の遺伝子を示する。
【００２６】
「トランスジェニック細胞」とは、導入遺伝子を含む細胞を意味する。例えば、発現カセットを含むベクターで形質転換された幹細胞は、変更された表現型特徴を有する細胞の集団を生成するために使用できる。
【００２７】
用語「野生型」とは、天然に存在する供給源から単離された場合の遺伝子又は遺伝子産物の特徴を有する遺伝子又は遺伝子産物をいう。野生型遺伝子は、ある集団においてもっとも頻繁に観察される遺伝子であり、従って、自由裁量で遺伝子の「正常」形態又は「野生型」形態と称される。対称的に、用語「改変された」又は「変異体」とは、野生型の遺伝子又は遺伝子産物と比較した場合に配列及び／又は機能的特性中に改変（すなわち変更された特徴）を示す遺伝子又は遺伝子産物をいう。天然に存在する変異体が単離されることが留意される。これらは、野生型の遺伝子又は遺伝子産物と比較した場合に変更された特徴を有するという事実によって同定される。
【００２８】
用語「形質導入」とは、ウイルス・ベクターと好ましくは複製欠損ウイルス・ベクター（例えば、組換えＡＡＶ）を介した、ｉｎ  ｖｉｖｏ又はｉｎ  ｖｉｔｒｏのいずれかでの受入れ細胞へのポリヌクレオチドのデリバリを意味する。
【００２９】
用語「異種」は、遺伝子配列と制御配列のような核酸配列に関する場合、通常は一緒に連結されず、かつ／又は特定の細胞と通常は関連しない配列を意味する。従って、核酸コンストラクト又はベクターの「異種」領域は、天然に他の分子と関連して見出されない別の核酸分子内にあるか又はそのような核酸分子に結合された核酸のセグメントである。例えば、核酸コンストラクトの異種領域は、天然にはそのコード配列と関連して見出されない配列（すなわち、異種プロモーター）によって隣接されたコード配列を含む。異種コード配列の別の例は、そのコード配列自体が天然に見出されない（例えば、天然遺伝子とは異なるコドンを有する合成配列）コンストラクトである。同様に、その細胞中に通常は存在しないコンストラクトで形質転換された細胞は、本発明の目的について異種とみなされる。
【００３０】
「ＤＮＡ」とは、とりわけ線状ＤＮＡ分子（例えば制限断片）、ウイルス、プラスミド、染色体において見出される二本鎖又は一本鎖の形態のデオキシリボヌクレオチド（アデニン、グアニン、チミン又はシトシン）のポリマー形態を意味する。特定のＤＮＡ分子の構造の議論において、配列は、ＤＮＡの非転写鎖（すなわち、ｍＲＮＡに対して相補的な配列を有する鎖）に沿って５’から３’の方向で配列だけを与える通常の慣行に従って本明細書中で記載される。この用語は、４種の塩基アデニン、グアニン、チミン又はシトシンを含む分子、および当該分野で公知の塩基アナログを含む分子を包含する。
【００３１】
本明細書中で使用する場合、用語「相補的」又は「相補性」は、塩基対合規則によって関係付けられるポリヌクレオチド（すなわちヌクレオチドの配列）に対する言及において使用される。例えば、配列「Ａ−Ｇ−Ｔ」は、配列「Ｔ−Ｃ−Ａ」に対して相補的である。相補性は、核酸の塩基のいくつかのみが塩基対合規則に従って一致する「部分的」なものである。あるいは、核酸間に「完全」又は「全体的な」相補性が存在する。核酸鎖間の相補性の程度は、核酸鎖間のハイブリダイゼーションの効率と強度に対して有意な影響を与える。これは、増幅反応や核酸間の結合に依存する検出方法において特に重要なものである。
【００３２】
ＤＮＡ分子は、１つのモノヌクレオチドのペントース環がホスホジエステル結合を介して一方向でその隣接モノヌクレオチドのペントース環の３’酸素に結合されるような様式でモノヌクレオチドが反応して、オリゴヌクレオチド又はポリヌクレオチドを形成するので、「５’末端」と「３’末端」を有すると言われる。従って、オリゴヌクレオチド又はポリヌクレオチドの末端は、その５’リン酸がモノヌクレオチドのペントース環の３’酸素に連結されていない場合には「５’末端」と称され、かつその３’酸素が引き続くモノヌクレオチドのペントース環の５’リン酸に連結されていない場合には「３’末端」と称される。本明細書中で使用する場合、核酸配列はまた、より大きいオリゴヌクレオチド又はポリヌクレオチドに対して内部である場合でさえ、５’末端と３’末端を有すると言われる。線状又は環状のいずれかのＤＮＡ分子において、別個のエレメントが、「下流」すなわち３’側エレメントの「上流」すなわち５’側であるといわれる。この用語は、転写がＤＮＡ鎖に沿って５’から３’への様式で進行するという事実を反映する。連結された遺伝子の転写を指向するプロモーター・エレメントとエンハンサー・エレメントは、コード領域の５’側すなわち上流に一般に位置する。しかし、エンハンサー・エレメントは、プロモーター・エレメントとコード領域の３’側に位置する場合でさえその効果を発揮する。転写終結シグナルとポリアデニル化シグナルは、コード領域の３’側すなわち下流に位置する。
【００３３】
特定のタンパク質を「コード化する」「遺伝子」、「ポリヌクレオチド」、「コード領域」又は「配列」は、適切な調節配列の制御下に配置された場合にｉｎ  ｖｉｔｒｏ又はｉｎ  ｖｉｖｏで転写されて遺伝子産物（すなわちポリペプチド）へと任意選択で翻訳もされる核酸分子である。コード領域は、ｃＤＮＡ形態、ゲノムＤＮＡ形態又はＲＮＡ形態のいずれかで存在する。ＤＮＡ形態で存在する場合、この核酸分子は、一本鎖（すなわちセンス鎖）又は二本鎖である。コード領域の境界は、５’（アミノ）末端で開始コドンと３’（カルボキシ）末端で翻訳停止コドンによって決定される。遺伝子には、原核生物又は真核生物のｍＲＮＡ由来のｃＤＮＡ、原核生物又は真核生物のＤＮＡ由来のゲノムＤＮＡ配列、合成ＤＮＡ配列が含まれるがこれらに限定されない。転写終結配列は、遺伝子配列の３’側に通常位置する。
【００３４】
用語「制御エレメント」とは、受入れ細胞中のコード配列の複製、転写、転写後プロセシングと翻訳を集合的に与える、プロモーター領域、ポリアデニル化シグナル、転写終結配列、上流調節ドメイン、複製起点、内部リボソーム進入部位（「ＩＲＥＳ」）、エンハンサー、スプライス連結部などを集合的にいう。選択されたコード配列が適切な宿主細胞中で複製され、転写されて翻訳される限り、これらの制御エレメントの全てが常に存在する必要があるわけではない。
【００３５】
用語「プロモーター領域」は、ＤＮＡ調節配列を含むヌクレオチド領域をいうために本明細書中でその本来の意味で使用され、この調節配列は、ＲＮＡポリメラーゼを結合して下流（３’方向）のコード配列の転写を開始する遺伝子由来である。
【００３６】
「エンハンサー・エレメント」とは、エンハンサー・ドメインの非存在下でプロモーターから生じる転写活性と比較して、プロモーターに対して近位に位置決められる場合に増大した転写活性を付与する核酸配列を意味する。
【００３７】
「心臓特異的エンハンサー・エレメント」とは、プロモーターに作動可能に連結された場合に心臓細胞において遺伝子発現を指向するが全ての組織又は全ての細胞型において遺伝子発現を指向するわけではないエレメントを意味する。本発明の心臓特異的エンハンサーは、天然に存在するものであっても天然に存在しないものであってもよい。当業者は、天然に存在しないエンハンサーの合成が標準的なオリゴヌクレオチド合成技術を使用して実施されることを認識している。
【００３８】
核酸分子に関して「作動可能に連結される」とは、２つ以上の核酸分子（例えば、転写されるべき核酸分子、プロモーター、エンハンサー・エレメント）が、核酸分子の転写を可能にするような方法で接続されることを意味する。ペプチド分子及び／又はポリペプチド分子に関して「作動可能に連結される」とは、２つ以上のペプチド分子及び／又はポリペプチド分子が、融合物のペプチド成分及び／又はポリペプチド成分の各々の少なくとも１つの特性を有する単一のポリペプチド鎖（すなわち融合ポリペプチド）を生じるような方法で接続されることを意味する。この融合ポリペプチドは、好ましくはキメラであり、すなわち異種分子からなる。
【００３９】
「相同性」とは、２つのポリヌクレオチド又は２つのポリペプチド間の同一性の％をいう。１つの配列と別の配列との間の対応は、当該分野で公知の技術によって決定される。例えば、相同性は、配列情報を整列させ、容易に入手可能なコンピュータ・プログラムを使用することにより、２つのポリペプチド分子間の配列情報の直接的な比較によって決定される。あるいは、相同性は、相同領域間で安定な二重鎖を形成する条件下でのポリヌクレオチドのハイブリダイゼーション、その後の一本鎖特異的ヌクレアーゼによる消化と消化された断片のサイズ決定によって決定される。２つのＤＮＡ配列又は２つのポリペプチド配列は、上記の方法を使用して決定される場合に、これらの分子の規定された長さにわたって、それぞれヌクレオチド又はアミノ酸の少なくとも約８０％、好ましくは少なくとも約９０％、最も好ましくは少なくとも約９５％が一致する場合に、互いに「実質的に相同」である。
【００４０】
「哺乳動物」とは哺乳綱の任意の所属動物を意味し、これにはヒトと非ヒト霊長類（例えば、チンパンジーならびに他の類人猿とサル種）、農場の動物（例えば、ウシ、ヒツジ、ブタ、ヤギとウマ）、家畜（例えばイヌとネコ）、実験動物（マウス、ラット、ウサギ、モルモットのようなげっ歯類を含む）などが含まれるが、これらに限定されない。
【００４１】
「〜に由来する（〜由来の）」とは、核酸分子が親核酸分子から作製又は設計されたかのいずれかであることを意味し、その誘導体は、親核酸分子の同じ機能的特徴を実質的に保持する（例えば、その誘導体が作製又は設計された親核酸分子によってコードされる遺伝子産物と実質的に同じ活性を有する遺伝子産物をコード化する）。
【００４２】
「発現コンストラクト」又は「発現カセット」とは、転写を誘導する核酸分子を意味する。発現コンストラクトは少なくともプロモーターを含む。エンハンサー及び／又は転写終結シグナルのようなさらなるエレメントもまた含まれる。
【００４３】
用語「外因性」は、細胞又は生物中のタンパク質、遺伝子、核酸又はポリヌクレオチドに関して使用する場合、人工又は天然の手段によってその細胞又は生物中に導入されたタンパク質、遺伝子、核酸又はポリヌクレオチドをいい、あるいは細胞に関して使用する場合、人工又は天然の手段によって単離されて他の細胞又は生物に引き続いて導入された細胞をいう。外因性核酸は、異なる生物又は細胞由来であっても、その生物又は細胞内に天然に存在する核酸の１つ又は複数のさらなるコピーであってもよい。外因性細胞は、異なる生物由来でもよく、同じ生物由来でもよい。非限定的な例として、外因性核酸は、天然の細胞の染色体位置とは異なる染色体位置に存在するか、又はさもなければ天然に見出された核酸配列とは異なる核酸配列により隣接される。
【００４４】
用語「単離された」は、核酸、ペプチド又はポリペプチドに関して使用する場合、その天然の供給源において本来関連する少なくとも１つの混入した核酸、ポリペプチド又は他の生物学的成分から同定及び分離される核酸配列、ペプチド又はポリペプチドをいう。単離された核酸、ペプチド又はポリペプチドは、天然に見出される形態又は設定とは異なる形態又は設定で存在する。例えば、所定のＤＮＡ配列（例えば遺伝子）は、隣接遺伝子に対して近位で宿主細胞染色体上で見出され、ＲＮＡ配列（例えば、特定のタンパク質をコード化する特定のｍＲＮＡ配列）は、多数のタンパク質をコード化する他の多数の他のｍＲＮＡとの混合物として細胞中で見出される。単離された核酸分子は、一本鎖形態又は二本鎖形態で存在する。単離された核酸分子がタンパク質を発現するために利用されるべきものである場合、この分子は最小でセンス鎖すなわちコード鎖を含む（すなわち、この分子は一本鎖である）が、センス鎖とアンチセンス鎖の両方を含んでもよい（すなわち、この分子は二本鎖である）。
【００４５】
用語「組換えＤＮＡ分子」とは、本明細書中で使用する場合、分子生物学的技術によって一緒に連結されたＤＮＡのセグメントからなるＤＮＡ分子をいう。
【００４６】
用語「組換えタンパク質」又は「組換えポリペプチド」とは、本明細書中で使用する場合、組換えＤＮＡ分子から発現されたタンパク質分子をいう。
【００４７】
用語「ペプチド」、「ポリペプチド」、「タンパク質」は、他のように区別されない限りは本明細書中で相互交換可能に使用される。
【００４８】
「増殖因子」とは、少なくとも細胞増殖を促進するか又は表現型変化を誘導する薬剤をいう。
【００４９】
用語「血管新生増殖因子」とは、単独又は他の薬剤と組み合わせて血管新生を誘導する薬剤を意味し、これには、線維芽細胞増殖因子（ＦＧＦ）、血管内皮増殖因子（ＶＥＧＦ）、肝細胞増殖因子、アンギオゲニン、トランスフォーミング増殖因子（ＴＧＦ）、組織壊死因子（ＴＮＦ、例えばＴＮＦ−α）、血小板由来増殖因子（ＰＤＧＦ）、顆粒球コロニー刺激因子（ＧＣＳＦ）、胎盤ＧＦ、ＩＬ−８、プロリフェリン（ｐｒｏｌｉｆｅｒｉｎ）、アンジオポエチン（例えば、アンジオポエチン−１とアンジオポエチン−２）、トロンボスポンジン、エフリン−Ａ１、Ｅ−セレクチン、レプチン、ヘパリン親和性調節ペプチドが含まれるがこれらに限定されない。
【００５０】
一般概論
本文書は、とりわけ、生体組織の細胞治療と電気的条件付けのための方法と装置を記載する。１実施形態において、細胞治療は、損傷を受けた組織を突き止めて、損傷を受けた組織中に及び／又は損傷を受けた組織に適切な細胞性材料（「ドナー細胞」）を投与する（例えば、挿入又は加える）ことによって、ｉｎ  ｖｉｖｏで組織に適用される。１実施形態において、損傷を受けた組織とドナー細胞を含む範囲は次いで、適切に位置決められた電極を有するパルス発生器を使用して、電気的条件付け（例えば、ペーシング・レベル電気刺激）に供される。いくつかの実施形態が、異なる治療装置と方法の実施形態を与えるために以下に示される。他の装置と方法が、添付の特許請求の範囲とその等価物によって提供されるように可能であることが理解されであろう。
【００５１】
本発明は、細胞ベースの治療のために所望される表現型を有する細胞（本明細書中で以降「ドナー細胞」）を好ましくは生じる、細胞をｉｎ  ｖｉｔｒｏで１つ又は複数の刺激を与えること（「ｉｎ  ｖｉｔｒｏ条件付け」）を含む。例えば、ｉｎ  ｖｉｔｒｏ条件付けに供された細胞は、心筋を増強及び／又は置換するため、例えば心筋梗塞を処置するため、ならびに遺伝性（例えば変性）と後天性（例えば、心不全）の心臓障害を処置するために、細胞ベースの治療において使用できる。１実施形態において、レシピエントと適合性でありかつｉｎ  ｖｉｔｒｏ条件付けに供されたドナー細胞は、レシピエントにおいて心筋を増強及び／又は置換するための細胞ベースの治療において使用される場合、ｉｎ  ｖｉｔｒｏ条件付け及び／又はｉｎ  ｖｉｖｏペーシングの結果として、細胞の埋め込み、生存、増殖、分化、心機能及び／又は血管新生の増強を生じる。
【００５２】
図１Ａは、本発明の１実施形態に従う組み合わされた細胞治療と電気治療を与えるためのフロー・チャートを示す。処置すべき組織の領域が１００で同定される。細胞治療が同定された領域に１１０で施される。電気治療が同定された領域に１２０で適用される。１つの手法では、細胞（「ドナー細胞」）は電気治療と同時に投与さるが、他の手法では、電気治療は細胞投与の後に続く。別の手法では、電気治療は細胞投与の前に適用される。さらに、複数の細胞治療が、同定された組織領域への電気治療の適用の前に実施されることは理解できるであろう。また例えば、この細胞治療の後に複数の電気治療が実施される。異なる順列の細胞治療と電気治療が種々の実施形態において実施されることは理解できるであろうであろう。例えば、電気的条件付けは、細胞治療の前、細胞治療の間又は細胞治療の後に適用される。１つの手法では、レシピエント中のドナー細胞の細胞埋め込み、細胞増殖、細胞分化、細胞の生存及び／又は細胞機能（例えば、収縮機能）は、この電気治療からの電気刺激によってさらに増強される。
【００５３】
図１Ｂは、本発明の別の実施形態に従う組み合わされた細胞治療と電気治療を与えるためのフロー・チャートを示す。この実施形態は、細胞治療を投与する前にドナー細胞を調製するさらなるステップを含む。ドナー細胞が、これらの細胞に１つ又は複数の所望の遺伝子産物（導入遺伝子）を導入するために１０５でｉｎ  ｖｉｔｒｏで条件付けされる。好ましくは、トランスジェニック・ドナー細胞は、レシピエント中のドナー細胞の細胞増殖、細胞埋め込み、細胞生存、細胞分化及び／又は細胞機能を増強する導入遺伝子を含む。例えば、ドナー細胞が自家細胞でありかつそのドナーが心臓細胞における内因性遺伝子の異常な発現に関連する遺伝性疾患又は後天性疾患を有する場合、１つ又は複数の導入遺伝子の発現は、ドナー細胞における内因性遺伝子の発現を低下、置換又は補充（増大）するために使用できる。１つ又は複数の導入遺伝子の発現は、ドナー細胞において導入遺伝子によってコードされる遺伝子産物のレベルを補正する。１実施形態において、導入遺伝子の発現は、調節プロモーター又は組織特異的（例えば、心筋細胞特異的）プロモーターによって制御される。この導入遺伝子は、リポソーム、エレクトロポレーション、裸のＤＮＡ又はウイルス媒介性形質導入（例えば、アデノウイルス・ベクター、アデノ随伴ウイルス・ベクター、レトロウイルス・ベクター又はレンチウイルス・ベクターを介する）が含まれるがこれらに限定されない任意の手段によって、ドナー細胞に導入される。
【００５４】
１実施形態において、進歩した患者管理デバイスが、適用された細胞治療に関する入力、患者の健康に関する入力、環境条件に関する入力と組み合わせて、適用された電気治療を制御するために使用される。他の入力が企図され、本明細書中で提供される入力は、細胞治療と電気治療が進歩した患者管理システムによって管理される場合にユーザーに与えられる柔軟性とプログラム可能性を実証することを意図する。このようなシステムは、譲受人により種々の出願において議論されており、これには、本明細書によりその全体が参考により援用される米国特許出願第１０／０９３３５３号（２００２年３月６日出願）が含まれるがこれに限定されない。
【００５５】
心臓組織の細胞治療の実施形態
本発明の教示は多数の治療において有用である。１実施形態において、心不全の処置が可能である。このような治療は、虚血性心不全と非虚血性心不全の両方の病因のために使用できる。
【００５６】
図１Ｃは、本発明の１実施形態に従う組み合わされた細胞治療と電気治療を使用して心臓組織を処置するための特定の治療を示す流れ図である。損傷を受けた組織の心臓組織領域が１３０で同定され、次いで細胞治療が損傷を受けた組織の１つ又は複数の範囲に１４０で適用される。ペーシング治療が、同定された心臓組織領域に１５０で適用される。心筋梗塞又は心臓発作から生じる組織損傷は、これらの装置と方法によって処置可能な組織の１つの型である。
【００５７】
損傷を受けた組織を突き止める異なる方法が使用できる。例えば、心電図のような電気生理学が、損傷を受けた心臓組織を付き止めるために使用できる。他の突き止め方法には以下が含まれるがこれらに限定されない。心臓の一部分の心エコー法とカテーテル・ベースの電圧マッピング、カテーテル・ベースのひずみマッピング、侵襲性又は最小に侵襲性の手術（損傷を受けた組織の可視化）、その他の画像化技術（例えば、ＭＲＩ、灌流画像化、蛍光顕微鏡、血管造影法）。
【００５８】
損傷を受けた組織が一旦突き止められると、突き止められた領域は、ドナー細胞（例えば、静脈内、経静脈、心筋内又は任意の他の簡便な経路によって投与される細胞、及び針、カテーテル（例えば、注射針又は注入ポートを含むカテーテル）又は他の適切なデバイスによってデリバリされる細胞）を挿入又は適用することによって処置される。いくつかの例示的なデリバリ装置と方法には、表題「Ｄｒｕｇ  Ｄｅｌｉｖｅｒｙ  Ｃａｔｈｅｔｅｒ  ｗｉｔｈ  Ｒｅｔｒａｃｔａｂｌｅ  Ｎｅｅｄｌｅ」の米国特許出願第０９／７４６４９８号（２０００年１２月２１日出願）と表題「Ｉｎｔｒａ−Ｖｅｎｔｒｉｃｕｌａｒ  Ｓｕｂｓｔａｎｃｅ  Ｄｅｌｉｖｅｒｙ  Ｃａｔｈｅｔｅｒ  Ｓｙｓｔｅｍ」の米国特許出願第１０／０３８７８８号（２００１年１２月３１日出願）において提供された教示が含まれるがこれらに限定されない。これら両開示は、その全体が参考により援用される。
【００５９】
図１Ｄは、本発明の別の実施形態に従う組み合わされた細胞治療と電気治療を使用して心臓組織を処置するための特定の治療を示す流れ図である。この実施形態は、細胞治療を適用する前にドナー細胞を調製するさらなるステップを含む。このドナー細胞は、電気的条件付け、機械的条件付け及び／又は生物学的条件付けによって１３５でｉｎ  ｖｉｔｒｏで調製される。
【００６０】
１実施形態において、外因性細胞性材料の注射のためになされたカテーテル先端を有するカテーテルが、細胞治療のために使用される。図２Ａは、損傷を受けた心筋組織を有する心筋２０２の近傍に位置決められたカテーテル先端２００の側面図を示す。カテーテル先端２００は、心膜内、静脈内、経静脈、経動脈、心筋内又は別の方法によって位置決められる。吸引ポート２０８は、図２Ｂ中にカテーテルの遠位末端で上面図から示される。カテーテル先端２００は、チャンネル２０６を介して吸引ポート２０８で減圧を生成し、それによってこのカテーテル先端２００を心筋２０２に対して保持するために、このカテーテルの近位末端で適用される減圧によって、処置されるべき領域の近傍に固定される。次いで中空針２０４が、細胞治療のための位置へと外因性細胞性材料を注射するためにカテーテル先端で組織中に進められる。注射の完了後、この中空針２０４はカテーテル先端２００中に格納され、カテーテル先端２００を異なる位置で治療のために再位置決めできるように減圧が除去される。
【００６１】
１実施形態において、この針はチャンネルを通り、かつカテーテルの近位末端でアクチュエータを使用して展開される。減圧と針との間で一般的なチャンネルが使用される実施形態において、減圧チャンネルが密封され、このチャンネルに適用された任意の減圧を維持するために針は近位末端でカテーテルを出る。この実施形態における中空針は、カテーテルの近位末端から遠位末端まで導管を使用する。１実施形態において、流体の注射は、近位末端でルアーフィッティングと針を使用して達成される。針の操作は、カテーテルの近位末端でアクチュエータを使用して達成される。
【００６２】
図２Ａ中に示される実施形態は、減圧の適用と、中空針２０４を誘導して中空針２０４が格納された場合にそれを保管するための手段の両方のためにチャンネル２０６を使用する。吸引ポートと針が別個のチャンネルを使用する他の実施形態が本明細書中で提供される。例えば、図２Ｄは、チャンネル２２０を有する吸引ポート２１８とチャンネル２２４を有する中空針２２２を有するカテーテル先端２１６を示す。この実施形態の例において、チャンネル２２０とチャンネル２２４は別個のチャンネルである。本発明の教示の範囲から逸脱することなく他の構成が可能である。
【００６３】
別個のチャンネルを用いる実施形態において、それぞれ減圧用と針用の別個のフィッティングが、真空を加えて流体を注射するために使用される。１実施形態において、標準的なルアーフィッティングが使用され、その針は流体を注射するために使用される。
【００６４】
図２Ｃは、カテーテル先端２１０が、湾曲した心筋の一部分に適合する表面を与えるために湾曲の角度を与える実施形態の１実施形態を示す。１実施形態において、湾曲の角度は約３０°である。種々の実施形態において、この先端は、処置すべき位置の近傍に吸引ポートを調節可能に位置決めするために、異なる程度のたわみを実施するように調節される。１実施形態において、この調節は、予め曲げられたカテーテル先端部分中に挿入されたスタイレットを使用して実施される。図２Ｃは、スタイレットが除去されるとこの先端の角度が変化すること、従って調節可能であることを示すために、種々の位置でスタイレットを適応させるスタイレット・チャンネル２１２を含むことによってこれを実証する。他の調節技術が、本発明の教示の範囲から逸脱することなく使用できる。
【００６５】
図２Ｅは、遠位末端にカテーテル先端２２６を有するカテーテルの１実施形態を示す。このカテーテル先端２２６は、近位末端に接続された１つ又は複数の接触電極２２８とイオン泳動を実施するための溶出手段を有する薬物貯留部を含む。可能な電極位置の種々の場所が図２Ｅに示される。このカテーテルは、カテーテル先端２２６で吸引ポート２２７において終結する減圧チャンネル２２９を含む。このカテーテル先端２２６は、チャンネル２２９を介して吸引ポート２２７で真空を生成するために、カテーテルの近位末端に加えられる真空によって薬物がデリバリされる領域の近傍に固定される。１実施形態において、化学物質貯留部が、隣接組織へのイオン泳動移入のためにカテーテル先端２２６に含められる。１実施形態において、多孔性電極が、カテーテル先端から流体を移入するために使用される。
【００６６】
種々の実施形態において、このカテーテルは、カソード先端の経静脈的位置決めを容易にするために異なるサイズとされている。１実施形態において、このカテーテルは、１０フレンチから２４フレンチまでの直径とすることが可能である。本発明の教示から逸脱することなく他のサイズが可能である。
【００６７】
外因性細胞の注射のためのカテーテル先端の別の実施形態が図２Ｆに示される。この実施形態において、カテーテル先端２３２は、組織２３４中への注射のための複数の針先を与える針アレイ２３６を含む。この針アレイは、材料のデリバリのための複数の経路とより低いデリバリ抵抗性を与える。カテーテル先端２３２はまた、組織２３４を処置するために領域を可視化してカテーテル先端２３２を位置決めするために、光ファイバー２３８を含む。
【００６８】
１実施形態において、針アレイ２３６は、経静脈デリバリと経動脈デリバリの容易さのために格納式である。１実施形態において、この針アレイ２３６は、約０．５ｃｍの長さの針先を含む。種々の実施形態において、この針アレイは、先端点の輪郭を与えるために種々の長さの針を含む。種々の実施形態において、この針アレイは、組織中へ約２〜３ｍｍの侵入する。他の実施形態が本発明の教示の範囲から逸脱することなく可能である。
【００６９】
図２Ｇによって示される１つの適用は、材料の複数の円柱２４４が、カテーテル先端２４０によって組織２４２中に挿入される（カテーテル先端２４０は、図２Ｇ中で格納された形態で示される）。円柱２４６は、細胞性材料及び／又は薬物などであり、組織２４２において受動的な分子工場として作用する。
【００７０】
先端刃の数と配置を変えることができることは理解できるであろう。本明細書中に提供される直径と距離は、非排他的な実施形態を与えることが意図され、排他的な意味も限定的な意味も意図しない。
【００７１】
カテーテル・ベースのデリバリ・システムの別の実施形態は、バルーンとデリバリ・カテーテルの使用を含む。図２Ｈは、血管又は器官への細胞性材料のデリバリのために経静脈的及び経動脈的に挿入可能なカテーテル先端２５０の１実施形態を示す。カテーテル先端２５０は、管腔２４８を閉塞し、材料２５４がある期間にわたって空間２５６中に残るように一時的に遮断するためのバルーン２５２を含む。空間２５６は細胞性材料で処置され、次いでカテーテル先端２５０の引き揚げのためにバルーン２５２が収縮される。
【００７２】
上に提供された実施形態の種々の組み合わせが可能であることは理解できるであろう。例えば、カテーテル先端を配置するために光ファイバーを使用でき、減圧のためや針及び／又は針アレイのための共通のチャンネル及び独立したチャンネルを有するカテーテル先端と組み合わされる。他の組み合わせが、本発明の教示の範囲から逸脱することなしに可能である。
【００７３】
組み合わされた細胞治療と電気治療にも、薬物の投与が付随する。
【００７４】
要素の設計と配置における変法が、本明細書中に提供される教示から逸脱することなしに実行され得、これらの実施形態は、限定的な意味も排他的な意味も意図しない。
【００７５】
ｉｎ  ｖｉｔｒｏ条件付けとそれに続く細胞治療のための細胞供給源
細胞ベースの治療におけるドナー細胞のための供給源には、骨格筋由来の細胞、例えば、骨格筋細胞、骨格筋芽細胞；心臓由来の細胞である筋細胞、例えば、心室筋細胞、心房筋細胞、ＳＡ結節筋細胞、ＡＶ結節筋細胞、プルキンエ細胞；骨髄由来の細胞、例えば、間葉細胞、間質細胞；平滑筋細胞；線維芽細胞；又は多能細胞か全能細胞、例えば、奇形腫細胞、造血幹細胞（例えば、臍帯血由来の細胞と単離されたＣＤ３４＋細胞）、多能成体前駆細胞、成体幹細胞、胚性幹細胞）が含まれる。１実施形態において、このドナー細胞は、ｘｅｎｏｌｏｕｇｏｕｓ細胞を含む自家細胞である。別の実施形態において、このドナー細胞は非自家細胞を含む。このドナー細胞は、レシピエントへの投与のためのドナー細胞の増殖した集団を与えるために、ｉｎ  ｖｉｔｒｏで増殖される。さらに、ドナー細胞は、特定の表現型特徴を誘導するため、例えば、増殖又は分化を誘導するため、１つもしくは複数の導入遺伝子又はそれらの組み合わせを導入するために、ｉｎ  ｖｉｔｒｏで処理される。ドナー細胞の供給源とドナー細胞を培養する方法は、当該分野で公知である。例えば、米国特許第５１３０１４１号とＪａｉｎら（Ｃｉｒｃｕｌａｔｉｏｎ、１０３、１９２０（２００１））を参照のこと。これらの文献において、脚の骨格筋からの筋芽細胞の単離と増殖が議論されている（Ｓｕｚｕｋｉら、Ｃｉｒｃｕｌａｔｉｏｎ、１０４、Ｉ−２０７（２００１）、Ｄｏｕｚら、Ｃｉｒｃｕｌａｔｉｏｎ、ＩＩＩ−２１０（２０００）及びＺｉｍｍｅｒｍａｎら、Ｃｉｒｃｕｌａｔｉｏｎ  Ｒｅｓ．、９０、２２３（２００２）もまた参照のこと）。公開された米国出願第２００２０１１０９１０号は、心筋細胞の単離と長期の生存のための培地を議論している。米国特許第５５８０７７９号は、ヒトの心房と心室からの心筋細胞の単離とこれらの心筋細胞の増殖の誘導を議論している。米国特許第５１０３８２１号は、ＳＡ結節細胞の単離と培養を議論している。ＳＡ結節細胞について、これらの細胞は、幹細胞又は他の未分化の細胞と同時培養される。米国特許第５５４３３１８号は、ヒト心房筋細胞の単離と培養を議論している。米国特許第６０９０６２２号と同第６２４５５６６号は、胚性幹細胞の調製を議論しており、一方で米国特許第５４８６３５９号は、間葉細胞の調製を議論している。
【００７６】
ドナー細胞を単離する例示的な方法
Ａ．ドナー筋芽細胞と筋細胞
ｉ．心臓組織
心筋細胞は、確立された方法の改変によって調製される。特に、初代心筋細胞の単離は、ＮａｇとＣｈｅｎ、Ｔｉｓｓｕｅ  Ｃｅｌｌ、１３、５１５（１９８１）ならびにＤｌｕｇａｚら、Ｊ．Ｃｅｌｌ  Ｂｉｏｌ．、９９、２２６８（１９８４）によって確立されたプロトコルを改変することによって実施される。簡潔には、例えば、器官ドナー由来の心臓が解剖され、培地で洗浄される。消化培地は、１０ｍＭ  ＨＥＰＥＳ、１０ｍＭピルベート、５ｍＭ  Ｌ−グルタミン、１ｍＭ  ニコチンアミド、０．４ｍＭ  Ｌ−アスコルベート、１ｍＭ  アデノシン、１ｍｍ  Ｄ−リボース、１ｍＭ  ＭｇＣｌ2、１ｍＭ  タウリン、２ｍＭ  ＤＬ−カルニチン、２ｍＭ  ＫＨＣＯ3を含む改変型Ｊｏｌｉｃｋｓ  ＭＥＭを含む。心臓を、０．５ｍｇ／ｍｌ  コラゲナーゼ（Ｗｏｒｔｈｉｎｇｔｏｎ）と１００ｍＭ  ＣａＣｌ2を含む消化培地中で切り刻む。この組織を３７℃で１５分間にわたって連続的な消化で処理する。第一の消化由来の細胞を廃棄し、次の６回の消化反応をプールする。細胞を１時間予め培養して線維芽細胞を除去し、次いでＰＣ−１（Ｖｅｎｔｒｅｘ）／ＤＭＥ−Ｈａｍｓ  Ｆ１２培地中に培養する。
【００７７】
あるいは、心筋を左心室の遊離壁から解剖し、かみそりの刃のアレイを使用して約１ｍｍ3の細片へと迅速に切断する。１〜２μＭ  カルシウム（ＬＣ）１２０ｍＭ  ＮａＣｌ、５．４ｍＭ  ＫＣｌ、５ｍＭ  ＭｇＳＯ4、５ｍＭ  ピルベート、２０ｍＭ  グルコース、２０ｍＭ  タウリン、１０ｍＭ  ＨＥＰＥＳ、５ｍＭ  ニトリロ三酢酸を含む溶液（ｐＨ６．９６）２５ｍｌ中で３７℃でシェークしながら、これらの細片を１２分間インキュベートする。この培地を、１２分間に数回（約３回）交換する。これらの細片を、１００％  Ｏ2でバブリングすることによって攪拌する。３００μｍのガーゼで濾すことによるＬＣ培地の除去後、これらの細片を、ニトリロ三酢酸を含まないＬＣ中で４５分間３７℃でインキュベートし、４Ｕ／ｍｌのＸＸＩＶ型プロテアーゼと３０μＭのカルシウムを添加し、その後に、プロテアーゼを省き４００ＩＵ／ｍｌのコラゲナーゼを添加した４５分間の期間２回が続く。培地を１００％  Ｏ2雰囲気下でシェークする。第二と第三の４５分間の期間の終了時に、分散された細胞を含む溶液を、３００μｍのガーゼを通して濾過し、４０×ｇで１〜２分間遠心分離する。
【００７８】
あるいは、初代心室筋細胞と心臓線維芽細胞は、Ｉｗａｋｉら、Ｊ．Ｂｉｏｌ  Ｃｈｅｍ．、２６５、１３８０９（１９９０）によって記載されたＰｅｒｃｏｌｌ勾配法を使用して調製される。心臓線維芽細胞を、Ｐｅｒｃｏｌｌ勾配の上のバンドから単離し、引き続いて、１０％ウシ胎仔血清を補充した高グルコース・ダルベッコ改変イーグル培地中に培養する。筋細胞をＰｅｒｃｏｌｌ勾配の下のバンドから単離し、４：１のダルベッコ改変イーグル培地、１９９培地、１０％ウマ血清と５％ウシ胎仔血清中に引き続いて培養する。
【００７９】
単離後、これらの細胞を、カルシウム（例えば、３０μＭ  カルシウム）を含む培地中で洗浄し、培養培地中再懸濁する。このような培養培地は、ＤＭＥＭ、ＢＳＡ、アスコルビン酸、タウリン、カルニチン、クレアチニン、インスリン、ペニシリンＧナトリウム、抗生物質を含む（例えば、０．２ｇ  ＢＳＡ、０．１ｍＭ  アスコルビン酸、５０ｍＭ  タウリン、１６ｍＭ  カルニチン、５０ｍＭ  クレアチン、０．１μＭ  インスリン、５０Ｕ／ｍｌ  ペニシリンＧナトリウム、５０ｍｇ／ｍｌ  硫酸ストレプトマイシンの添加を含むＤＭＥＭ）。培養培地は、塩化カルシウム無水物とＤ−パントテン酸カルシウムを含まないＤＭＥＭもまた含む。
【００８０】
ω３脂肪酸は、ＫａｎｇとＬｅａｆ（Ｃｉｒｃｕｌａｔｉｏｎ、９４、１７７４（１９９６））によって、カルシウム過負荷とカルシウム・パラドックスに対して保護することが示されている。従って、この培養培地は、ω３脂肪酸（例えば、ドコサヘキサエン酸、エイコサペンタエン酸、エイコサテトラエン酸（eicosatetraynoic acid）又はポリ不飽和脂肪酸）もまた含む。
【００８１】
マグネシウム（Ｍｇ＋）もまた、カルシウム過負荷に対して保護的であることが公知であり、ヒト心筋の不全において有益であることが示されている（Ｓｃｈｗｉｎｇｅｒら、Ａｍ．Ｈｅａｒｔ  Ｊ．、１２６、１０１８（１９９３）、Ｓｃｈｗｉｎｇｅｒら、Ｊ．Ｐｈａｒｍａｃｏｌ．Ｅｘｐ．Ｔｈｅｒ．、２６３、１３５２（１９９２））。従って、この培養培地は、例えば０．１ｍＭから１６ｍＭまでの種々の濃度のＭｇ2＋を含む。
【００８２】
１実施形態において、心筋細胞は、被験体（例えば脊椎動物被験体）由来の組織サンプルから得られ、引き続いて漸減量のＣａＣｌ2を含む第一の溶液に曝露される。この第一の溶液は、約７．４のｐＨで、ＮａＣｌ、ＨＥＰＥＳ、ＭｇＣｌ2、ＫＣｌ、糖をさらに含む（例えば、約７．４のｐＨで、１４０ｍＭ  ＮａＣｌ、１０ｍＭ  ＨＥＰＥＳ、１ｍＭ  ＭｇＣｌ2、５．４ｍＭ  ＫＣｌ、１０ｍＭ  糖をさらに含む）。この組織を、酵素溶液で解離させ、漸増量のＣａＣｌ2を含む第二の溶液中に反復して再懸濁する。この第二の溶液は、Ｅａｒｌｅ’ｓ改変塩、Ｌ−グルタミン、重炭酸ナトリウム、パントテン酸ナトリウム、クレアチン、タウリン、アスコルビン酸、ＨＥＰＥＳ、ウシ胎仔血清、抗生物質、脂肪酸を約７．４のｐＨでさらに含む（例えば、１２５０ｍｇ／ｌの重炭酸ナトリウム、３２８ｍｇ／５００ｍｌのクレアチン、３１２ｍｇ／５００ｍｌのタウリン、８．８ｍｇのアスコルビン酸、２．３８３ｇ／５００ｍｌのＨＥＰＥＳ、１０％  ｖ／ｖのウシ胎仔血清、５％  ｖ／ｖの抗生物質、１μＭの脂肪酸を約７．４のｐＨでさらに含む）。
【００８３】
なお別の実施形態において、この第二の溶液は、単離された細胞（例えば、心筋細胞）を培養するために使用され、これは、この第二の溶液中で約２４時間毎に単離された細胞を再懸濁するステップを含む。なお別の実施形態において、この第二の溶液は、細胞（例えば、心筋細胞）のための維持培地又は培養培地として使用できる。
【００８４】
別の実施形態において、心筋細胞は、組織をより小さい細片に切断して第一の溶液中でその組織をインキュベートすることによって、被験体（例えば脊椎動物被験体）由来の組織サンプルから得られる。この第一の溶液は、カルシウム、塩、硫酸マグネシウム、ピルベート、グルコース、タウリン、ＨＥＰＥＳ、ニトリロ三酢酸（例えば、１〜２μＭ  ＣａＣｌ2、１２０ｍＭ  ＮａＣｌ、５．４ｍＭ  ＫＣｌ、５ｍＭ  ＭｇＳＯ4、５ｍＭ  ピルベート、２０ｍＭ  グルコース、２０ｍＭ  タウリン、１０ｍＭ  ＨＥＰＥＳ、５ｍＭ  ニトリロ三酢酸）を、約６．９６のｐＨで含む。この第一の溶液への酵素（例えばコラゲナーゼ）の添加後、この組織をこの溶液中でさらにインキュベートし、その後遠心分離に供して単離された細胞を得る。３７℃で１２分間この組織をシェークし、この溶液中に１００％  ＣＯ2をバブリングした後、この組織を、１〜２μＭ  ＣａＣｌ2、３０μＭ  ＮａＣｌ、５．４ｍＭ  ＫＣｌ、５ｍＭ  ＭｇＳＯ4、５ｍＭ  ピルベート、２０ｍＭ  グルコース、２０ｍＭ  タウリン、１０ｍＭ  ＨＥＰＥＳ、４Ｕ／ｍｌの消化酵素を含む第二の溶液中でインキュベートし、約１〜２μＭ、３０μＭ  ＮａＣｌ、５．４ｍＭ  ＫＣｌ、５ｍＭ  ＭｇＳＯ4、５ｍＭ  ピルベート、２０ｍＭ  グルコース、２０ｍＭ  タウリン、１０ｍＭ  ＨＥＰＥＳ、４Ｕ／ｍｌの消化酵素を含む第三の溶液中で引き続いてインキュベートする。好ましくは、４００Ｕ／ｍｌの消化酵素（例えば、ＸＸＩＶ型プロテアーゼ（例えば、マトリックス・メタロプロテイナーゼ２又は４）とコラゲナーゼ（例えば、マトリックス・メタロプロテイナーゼ１、３又は９））をこの第三の溶液に添加し、この組織を遠心分離に供して単離された細胞を得る。
【００８５】
単離された心筋細胞の収率と長期生存率を増強するための他の溶液には、公開された米国出願第２００２０１１０９１０号中の溶液が含まれる。
【００８６】
ｉｉ．新生児骨格組織
新生児組織から細胞を収集するために、筋肉組織を肢から収集して、８ｍｌのカルシウムを含まないＰＢＳと共に培養皿（直径６５ｍｍ）中に配置する。筋肉を滅菌条件下で取り出す。全ての収集した組織を、１２ｍｌの組織解離溶液（ＴＤＳ）（５重量％のディスパーゼと０．５重量％のコラゲナーゼＩＶを含むＤＭＥＭ）を含む５０ｍｌのコニカル・チューブに移して、組織を解離するために約１時間攪拌する。次いでこのチューブを１２００×ｇで約１５分間遠心分離する。上清の除去後、細胞を、２０ｍｇのＩＶ型コラゲナーゼを含む２０ｍｌのＨａｍ’ｓ  Ｆ１２中に再懸濁し、３７℃で１時間インキュベートして組織を解離させる。このチューブを再度１２００ｇで１５分間遠心分離し、その後上清を除去し、細胞を増殖培地（ＧＭ）（４００ｍｌ  Ｆ１２、１００ｍｌ  ＦＢＳ、１００Ｕ／ｍｌ  ペニシリンＧ）中に再懸濁する。この細胞懸濁物内には、筋原性前駆細胞に加えて線維芽細胞がおそらく存在する。
【００８７】
ｉｉｉ．成体又は加齢した骨格組織
骨格筋は、成体組織からも収集し、ストリップに切断することができる。新生児組織とは異なり、成体又は加齢した動物由来の筋肉組織は、完全な組織解離の前に最初に予めインキュベートされると、より多くのサテライト細胞を生じる。サテライト細胞の活性化の増大は、プレインキュベーション培地（ＰＩ）中のＮａＮ3（０．９％の生理食塩水中の９０ｍｌのＤＭと、１０ｍｌの０．０５％  ＮａＮ3、ここでＤＭは、４６５ｍｌ  ＤＭＥＭ、３５ｍｌ  ウマ血清、１００Ｕ／ｍｌ  ペニシリンＧである）の使用から生じる。
【００８８】
筋肉組織を予めインキュベートするために、これらのストリップを、ＳＹＬＧＡＲＤ（商標）で被覆した培養皿（直径３５ｍｍ）中にピンで留め、２．５ｍｌのＰＩで覆い、約４０分間にわたる紫外線光への曝露によって滅菌する。次いでこれらの皿を、５％  ＣＯ2を含む水飽和雰囲気中で３７℃で２４時間〜７２時間維持し、ここで最適なプレインキュベーション時間は、異なる筋肉について変動する。
【００８９】
プレインキュベーション後、各筋肉ストリップを１５ｍｌのＴＤＳ溶液を含む５０ｍｌのコニカル・チューブ中に配置し、完全な解離が観察されるまで約３時間にわたって３７℃でシェーカー・バス中でインキュベートする。完全な組織解離の直後に、これらのチューブを１２００ｇで１５分間遠心分離する。引き続いて上清を吸引し、細胞を５ｍｌ  ＧＭで再構成する。新生児組織由来の細胞を用いる場合、線維芽細胞は細胞上清中に含まれる。
【００９０】
あるいは、筋原性細胞は、連続的な酵素処理により骨格筋断片から放出される。６００Ｕ／ｍｌのコラゲナーゼ（Ｓｉｇｍａ、Ｓｔ．Ｌｏｕｉｓ、Ｍｏ．、ＵＳＡ）での１時間の消化の後、０．１％  ｗ／ｖ  トリプシン（Ｇｉｂｃｏ  Ｌａｂ、Ｇｒａｎｄ  Ｉｓｌａｎｄ、Ｎ．Ｙ．、ＵＳＡ）を含むＨａｎｋ’ｓ平衡塩溶液（ＨＢＳＳ）中での３０分間のインキュベーションを行う。サテライト細胞を、増殖培地（例えば、１５％  ウシ胎仔血清（Ｇｉｂｃｏ）、１％  ペニシリン（１０，０００Ｕ／ｍｌ）、１％  ストレプトマイシン（１０，０００Ｕ／ｍｌ）を含む１９９培地（Ｇｉｂｃｏ  Ｌａｂ．））中で７５ｃｍ2の培養フラスコ（Ｃｏｓｔｅｒ、Ｃａｍｂｒｉｄｇｅ、Ｍａｓｓ．、ＵＳＡ）中に配置する。
【００９１】
特にヒト筋芽細胞について、これらの細胞をドナー・ヒト筋肉から増殖させ、継代した細胞を、７．５％  ｖ／ｖから２０％  ｖ／ｖまでのＦＣＳを含むＨａｍ  Ｆ１２培地中に、９６ウェルのクラスター・プレート中に１ウェル当たり２〜３，０００細胞で播く。この培地は、種々の濃度のＬＩＦを含む。細胞数を１２日まで時々計数する。例えば３０Ｕ／ｍｌのＬＩＦによる筋芽細胞の増殖の顕著な刺激が存在する。ＦＧＦとＨＢＧＦもまた、サテライト細胞の増殖を刺激する（ＤｉＭａｒｉｏら、Ｄｉｆｆｅｒｅｎｔｉａｔｉｏｎ、３９、４２（１９８８））。ＴＧＦ−αもまた、１０ｎｇ／ｍｌまでの範囲の濃度でヒト細胞を刺激する。
【００９２】
１実施形態において、骨格筋細胞を増殖させるために、骨格筋細胞を、例えば、５ｎｇ／ｍｌ〜１０ｎｇ／ｍｌの単離されたＰＤＧＦ、ＴＧＦ−β及び／又はＦＧＦと共にインキュベートする。
【００９３】
Ｂ．非筋肉ドナー細胞
非筋肉ドナー細胞を単離及び／又は培養するための方法と、これらの細胞に筋肉細胞特異的な表現型（例えば、分化）を誘導するための方法が当該分野で公知である。例えば、間葉幹細胞は、接着性の骨髄細胞又は骨膜細胞を培養することによって得ることができる。心臓細胞特異的な表現型を誘導するために、ＭＳＣ細胞は、任意選択でフジゲン（fusigen）、哺乳動物心臓の抽出物、１つ又は複数の増殖因子、１つ又は複数の分化因子の存在下で胎児、新生児又は成体の心臓細胞と同時培養され、あるいは機械刺激又は電気的刺激に供される。
【００９４】
骨髄は、心筋細胞に分化する能力を有するドナー細胞の供給源である。骨髄細胞を得るために、骨髄穿刺を、胸骨穿刺又は腸骨穿刺によって実施する。穿刺のための部分の皮膚の消毒後、ドナーを局所麻酔する。特に骨膜下を完全に麻酔する。骨髄穿刺針の内側チューブを引き抜き、５０００Ｕのヘパリンを含む１０ｍｌの注射器を針に取り付ける。通常１０〜２０ｍｌの骨髄液を吸引によって迅速に採取し、穿刺針を除去し、その後約１０分間にわたって圧迫止血する。得られた骨髄液を１０００×ｇで遠心分離して骨髄細胞を回収し、これを次いでＰＢＳ（リン酸緩衝化生理食塩水）で洗浄する。この遠心分離ステップを２回反復した後、得られた骨髄細胞を細胞培養培地（例えば、各々１０％  ＦＢＳ（ウシ胎仔血清）を含むＡ−ＭＥＭ（ＭＥＭのａ−改変）、ＤＭＥＭ（ダルベッコ改変ＭＥＭ）又はＩＭＤＭ（Ｉｓｏｃｏｖｅ’ｓ改変ダルベッコ培地））に懸濁して、骨髄細胞懸濁物を調製する。
【００９５】
心筋細胞へと分化する能力を有する骨髄細胞の、得られた骨髄細胞懸濁物からの単離のために、この細胞懸濁物中に存在する他の細胞（例えば、血球、造血幹細胞、血管幹細胞、線維芽細胞）を除去する際に有効である限り任意の方法が使用できる。例えば、Ｐｉｔｔｅｎｇｅｒら、Ｓｃｉｅｎｃｅ、２８４、１４３（１９９９）に記載される方法に基づいて、所望の細胞が、１．０７３ｇ／ｍｌの密度を有するＰｅｒｃｏｌｌ上に層状化した細胞懸濁物を３０分間にわたる１１００×ｇで遠心分離することによって単離でき、界面上の細胞が回収される。さらに、心筋細胞に分化する能力を有する細胞を含む骨髄細胞混合物は、１０ＸＰＢＳで９／１０に希釈された等量のＰｅｒｃｏｌｌ溶液と上記細胞懸濁物を混合し、その後２００００×ｇで３０分間遠心分離し、１．０７５〜１．０６０の密度を有する分画を回収することによって得ることができる。骨髄細胞混合物を、９６ウェルの培養プレートを使用して単一の細胞にまで希釈して、それぞれが単一の細胞に由来する多数のクローンを調製する。心筋細胞に分化する能力を有するクローンは、処理によって発生した自発的に拍動する細胞の観察によって選択できる。
【００９６】
臍帯血はドナー細胞の別の供給源である。ドナー細胞を調製するために、臍帯血を臍帯から分離し、その後ヘパリンを添加して５００Ｕ／ｍｌの最終濃度にする。完全に混合した後、細胞を遠心分離によって臍帯血から分離し、細胞培養培地（例えば、各々が１０％  ＦＢＳを含むα−ＭＥＭ、ＤＭＥＭ又はＩＭＤＭ）中に再懸濁する。こうして得られた細胞懸濁物から、心筋細胞に分化する能力を有する細胞が、例えば抗体を使用して分離できる。
【００９７】
線維芽細胞もまた、本発明のドナー細胞の供給源である。
【００９８】
ｉｎ  ｖｉｔｒｏ条件付け
種々の外因性刺激（「条件付け」）が、本発明の方法において使用できる。例えば、ドナー細胞は、これらの細胞を機械的条件付け、電気的条件付けもしくは生物学的条件付け、又はこれらを任意の組み合わせることによってｉｎ  ｖｉｔｒｏで処理される。この条件付けは、外因性刺激への連続的な曝露又は断続的な曝露を含む。好ましい外因性薬剤には、移植後のドナー細胞の生存、埋め込み、分化、増殖及び／又は機能を増強する薬剤が含まれる。このようなｉｎ  ｖｉｔｒｏ条件付けのための細胞処理デバイスの１実施形態が本文書中に後に記載される。
【００９９】
Ａ．機械的条件付け
機械的条件付けには、心臓体積と血圧における周期的な変化に起因して心筋中の心筋細胞に加えられる機械的力をシミュレートする機械的応力にドナー細胞をさらすことが含まれる。１実施形態において、周期的な機械的応力がドナー細胞に加えられる。１実施形態において、ドナー細胞に加えられる周期的な機械適応力は、ｉｎ  ｖｉｖｏでの心筋細胞の周期的な変形（収縮）と類似した、これらの細胞の周期的な変形を生じる。この機械適応力には、１つ又は複数のドナー細胞、好ましくはドナー細胞の集団を、１次元かつ１方向、あるいは１次元かつ２つ以上の反対方向で機械的力にさらすこと、例えば、ドナー細胞を所定の持続時間にわたって所定の周波数で伸長させ弛緩させることが含まれる。機械的条件付けは、活動電位による興奮の際に収縮するドナー細胞を生じる。
【０１００】
機械的条件付けは好ましくは、遺伝子発現、タンパク質合成及び／又はドナー細胞中の１つもしくは複数の細胞性キナーゼの活性を変更し、１実施形態において、ドナー細胞の増殖及び／又は分化を生じる。１実施形態において、ドナー細胞の機械的条件付けは、ドナー細胞における変更された発現プロフィール（例えば、ＢＭＰ、ＶＥＧＦ、アンジオテンシンＩＩなどをコード化する遺伝子についての変更された発現プロフィール）を生じる。１実施形態において、ドナー細胞の機械的条件付けは、アクチン・フィラメントとミオシン・フィラメント（これらは、筋肉の収縮の間に互いに相互作用するタンパク質構造である）を含む収縮性エレメントの数及び／又は活性の増大を生じる。従って、機械的条件付けに供されたドナー細胞は、筋肉細胞の特徴である収縮性を生じる。
【０１０１】
１実施形態において、この機械的条件付けには、ドナー細胞を機械的力にさらして、これらのドナー細胞がその長さの約５％〜２０％分少なくとも１方向で、０．２５Ｈｚ〜２Ｈｚの周波数で物理的に引き伸ばされるようにすることが含まれる。言い換えれば、少なくとも１つのドナー細胞が、１秒当たり０．２５回〜２回で、５％〜２０％だけその長さを増大させられる。これは、心筋細胞がｉｎ  ｖｉｖｏの生理学的条件下で従う機械的張力をシミュレートする。１実施形態において、ドナー細胞は、培養培地の存在下で、制御可能に変形可能な培養基材上に培養される。この基材は、心筋の機械的変移をシミュレートするために周期的に変形される。１つの特定の実施形態において、この基材には、医療用等級のシリコン製の伸長性のストリップが含まれる。ドナー細胞がこの伸長性のストリップ上に培養される。伸長性のストリップが伸長され、また弛緩され、その結果ストリップ上のドナー細胞は、ｉｎ  ｖｉｖｏで心筋細胞をシミュレートする様式で伸長性のストリップと共にその長さを変化させる。培養物中の細胞に機械適応力を加えるためのこのような装置の１例は、Ｔｅｒｒａｃｉｏら、Ｉｎ  Ｖｉｔｒｏ  Ｃｅｌｌｕｌａｒ  ＆  Ｄｅｖｅｌｏｐｍｅｎｔａｌ  Ｂｉｏｌｏｇｙ、２４（１）、５３−５８、１９８８中に与えられる。この文献中で、シリコン・ストリップは、変速モータを用いて生成された較正された機械的張力にさらされる。
【０１０２】
１実施形態において、この機械的条件付けは、所定期間の時間にわたって連続的に加えられる。１つの特定の実施形態において、この所定の期間は１日間〜１４日間の範囲である。別の実施形態において、この機械的条件付けは、１つ又は複数の休止（非刺激）期間によって中断された所定期間の時間にわたって断続的に加えられる。１つの特定の実施形態において、この機械的条件付けは、１日間〜１４日間の範囲の所定の期間にわたって５％〜７５％の範囲の使用率で行われる。
【０１０３】
Ｂ．電気的条件付け
電気的条件付けには、心臓の収縮を生じる心筋中の電気的条件をシミュレートする電気的条件にドナー細胞をさらすことが含まれる。心臓において、収縮は心房と心室の筋繊維の収縮から主に生じる。心房と心室の筋繊維の収縮は、骨格筋の収縮よりもゆっくりであり、かつ持続時間はより長い。しかし、心筋と骨格筋は、多数の共通の解剖学的特徴を共有する。骨格筋と同じ様式で、心筋は、横行する暗帯と明帯を有する細長い線維からなる。暗帯は細胞間の境界に対応する。各線維は、互いに連続して接続された個々の細胞からなる。心筋は、骨格筋とほぼ同一のアクチン・フィラメントとミオシン・フィラメントからなる長手方向に平行な収縮性エレメントである筋原線維を含む。アクチン・フィラメントとミオシン・フィラメントは互いにかみ合い、収縮の間に互いに沿ってスライドする。収縮は、筋線維に沿って伝播するか又は筋線維にわたって広がる活動電位によって引き起こされる。活動電位の伝播は、膜電位と称される筋肉細胞膜を横切る電位の変化から生じる。膜電位の変化は次に、細胞膜中にタンパク質分子によって形成されるイオン・チャンネルを介した筋肉細胞膜を横切るナトリウム・イオン、カリウム・イオン及び／又はカルシウム・イオンの流れによって引き起こされる。いくつかのタイプの筋肉は、１つの筋肉細胞から別の筋肉細胞へとイオンが流れるギャップ結合と称されるタンパク質構造体を含む。ギャップ結合はイオンの流れを可能にし、従って、１つの細胞から別の細胞への直接的な活動電位の伝播を可能にする。心筋は、少なくとも２つの独自の解剖学的特徴、高密度のカルシウム−ナトリウム・チャンネルと高密度のギャップ結合、を有する。これらの特徴は、骨格筋や他のタイプの筋肉から心筋を区別する。
【０１０４】
活動電位は、速いナトリウム・チャンネルの突然の開口を主に介して骨格筋において伝播する。その開口は筋肉細胞にナトリウム・イオンが入るのを可能にする。速いナトリウム・チャンネルの各開口は、１０００分の数十秒のみ持続する。対称的に、心筋は、速いナトリウム・チャンネルと、筋肉細胞にカルシウムとナトリウムの両方が入るのを可能にする遅いカリウム−ナトリウム・チャンネルの両方を含む。遅いカルシウム−ナトリウム・チャンネルの各開口は、１０分の数秒間にわたって持続する。これにより、心筋を特徴付ける長い持続時間の収縮が生じる。
【０１０５】
心臓の筋繊維中のギャップ結合は、繊維の軸に沿った細胞膜を横切るイオンの比較的自由な流れを可能にする。従って、活動電位は、ほとんど抵抗なく１つの細胞から別の細胞へと移動する。心筋は、線維が分岐し、合流し、再度分岐する格子に整列した筋繊維を有するシンシチウム（融合した細胞の塊）である。シンシチウム中の１つの細胞が興奮すると、活動電位は細胞から細胞へと伝播し、格子の相互接続中に広がる。心臓は、２つのシンシチウム（心房シンシチウムと心室シンシチウム）を含む。正常な心臓において、活動電位は、伝導系であるＡ−Ｖ束を介して心房シンシチウムから心室シンシチウムへと伝導され、心房シンシチウムは心室シンシチウムの前に収縮する。
【０１０６】
１実施形態において、電気的条件付けには、培養物中のドナー細胞に心臓ペーシング・パルスのような電気刺激を提供してドナー細胞を収縮させることが含まれる。別の実施形態において、この電気的条件付けには、培養物中のドナー細胞に静電場を与えることが含まれる。電気的条件付けは、増殖して心筋細胞へと分化するドナー細胞を生じ得、好ましくは心筋細胞として機能する細胞を生じる。
【０１０７】
１実施形態において、ドナー細胞の電気的条件付けは、心筋細胞の１つ又は複数の特徴（高密度のカルシウム−ナトリウム・チャンネルと高密度のギャップ結合を含む）を有する細胞を生じる。このような電気的条件付けは、ｉｎ  ｖｉｔｒｏ及び／又はｉｎ  ｖｉｖｏで生じる。さらに、一旦ドナー細胞が心筋中に移植されると、ドナー細胞は心筋中の収縮のパターンに従い、ドナー細胞が心筋細胞でない場合には心筋細胞へと分化する。１実施形態において、これらのドナー細胞は、心筋中への移植の前に電気的に条件付けされる。１実施形態において、この電気的条件付けには、ｉｎ  ｖｉｖｏでの心筋細胞の生理学的収縮をシミュレートする人工的に誘導された収縮パターンにドナー細胞を従わせることが含まれる。この収縮パターンは、心臓ペーシングのような電気刺激によって誘導される。さらなる実施形態において、これらのドナー細胞はまた、心筋中の環境をシミュレートする電場刺激にさらされる。ドナー細胞の電気的条件付け（心臓ペーシング及び／又は電場刺激を含む）は、ドナー細胞の発現プロフィールの変更（カルシウム−ナトリウム・チャンネルの発現の増大及び／又はギャップ結合の発現及び／又は形成の増大を含む）を生じる。例えば、電気的条件付けによって、アンギオテンシンＩＩ又はＶＥＧＦの発現が増大し、これが次にギャップ結合の形成を増大させる。
【０１０８】
１実施形態において、ペーシング・パルスは、ペースメーカー又はペーシング・パルスを発生させる任意のパルス発生器によって生成される。これらのドナー細胞は、心筋の細胞外流体をシミュレートする流体を含む培養培地中に配置される。これらのペーシング・パルスは、培養物中に配置された２つの電極を介してドナー細胞に伝達される。心臓ペーシング・パルスの伝達を制御するパラメータには、心筋内の電気的活動をシミュレートするために生理学的範囲から各々が選択されるぺーシング・レート、ペーシング電位、ペーシング・パルス幅が含まれる。１つの特定の実施形態において、このぺーシング・レートは、１分当たり１５拍〜１２０拍の範囲内であり、ペーシング電位は０．１ボルト〜１０ボルトの範囲内であり、ペーシング・パルス幅は０．１ミリ秒〜１０ミリ秒の範囲内である。１実施形態において、心臓ペーシングは、所定の期間の時間にわたってドナー細胞に連続的に加えられる。１つの特定の実施形態において、この所定の期間の時間は、１日間〜１４日間の範囲内である。別の実施形態において、心臓ペーシングは、１つ又は複数の休止（非ペーシング）期間によって中断された所定の期間にわたってドナー細胞に断続的に加えられる。１つの特定の実施形態において、心臓ペーシングは、１日間〜１４日間の範囲内の所定の期間にわたって、５％〜７５％の範囲内の使用率でドナー細胞に加えられる。
【０１０９】
１実施形態において、ドナー細胞培養物に静電場を加える。１つの特定の実施形態において、この場の強度は、１メートル当たり１ボルト〜１００ボルトの範囲内である。１実施形態において、この電場は、所定の期間にわたって連続的に加えられる。１つの特定の実施形態において、この所定の期間は、１日間〜１４日間の範囲内である。別の実施形態において、この電場は、１つ又は複数の休止（非刺激）期間によって中断された所定の期間にわたって加えられる。１つの特定の実施形態において、この電場は、１日間〜１４日間の範囲内の所定の期間にわたって、５％〜７５％の使用率で加えられる。
【０１１０】
Ｃ．生物学的条件付け
生物学的条件付けには、外因性薬剤（例えば、分化因子、増殖因子、血管新生タンパク質、生存因子、サイトカイン）にドナー細胞をさらすことや、遺伝子産物（血管新生タンパク質、増殖因子、分化因子、生存因子、サイトカイン、心臓細胞特異的構造遺伝子産物、心臓細胞特異的転写因子又は膜タンパク質を含むがこれらに限定されない遺伝子産物をコード化する、又はアンチセンス配列（例えば、リボザイム）あるいはこれらの任意の組み合わせを含む発現カセット（導入遺伝子）にドナー細胞をさらすことが含まれる。この発現カセットは、少なくとも１つの制御エレメント（例えば、プロモーター、任意選択で調節可能なプロモーター（例えば、誘導性プロモーター又は抑制可能なプロモーター）、エンハンサー又は転写終結配列）を任意選択で含む。好ましくは、プロモーター及び／又はエンハンサーは、細胞特異的又は組織特異的なもの、例えば心臓細胞特異的なものである。例えば、このエンハンサーは、筋肉クレアチン・キナーゼ（ｍｃｋ）エンハンサーであり、このプロモーターはα−ミオシン重鎖（ＭｙＨＣ）プロモーター又はβ−ＭｙＨＣプロモーターである（Ｐａｌｅｒｍｏら、Ｃｉｒｃ．Ｒｅｓ．、７８、５０４（１９９６）を参照のこと）。
【０１１１】
ｉ．導入遺伝子
１実施形態において、この導入遺伝子は、以下が含まれるがこれらに限定されない遺伝子産物をコード化する：血管新生タンパク質、例えば、線維芽細胞増殖因子（ＦＧＦ）（例えば、酸性ＦＧＦ、塩基性ＦＧＦ、ＦＧＦ−５）、血管内皮増殖因子（ＶＥＧＦ）（例えば、ＶＥＧＦ145、ＶＥＧＦl21、ＶＥＧＦ120、ＶＥＧＦ164、ＶＥＧＦ165、ＶＥＧＦ189、ＶＥＧＦ206）、ＩＧＦ−１、ＴＧＦ−β（例えば、ＴＧＦ−β1）、単独又は他のサイトカインと組み合わせた白血病阻害因子（ＬＩＦ）、筋原性因子（例えばｍｙｏＤ）、ＲｙＲＺ（心臓リアノジン・レセプター）、Ｄｅｌ  Ｉ、ミオゲニン、パルブアルブミン、Ｍｙｆ５とＭＲＦ、転写因子（ＧＡＴＡ−４のようなＧＡＴＡとｄＨＡＮＤ／ｅＨＡＮＤ）、サイトカイン、例えば、カルジオトロフィン−１、カルセケストリン、ニューレグリン（例えば、ニューレグリン１、２又は３）とホメオボックス遺伝子産物（例えば、Ｃｓｘ、ティンマン（ｔｉｎｍａｎ）とＮＫｘファミリー（例えば、ＮＫｘ  ２．５））、トランスフェリン、血小板由来増殖因子（ＰＤＧＦ）、上皮増殖因子（ＥＧＦ）、アドレノコルチコトロピン、マクロファージ・コロニー刺激因子、プロテイン・キナーゼＣアクチベータ、内皮増殖因子、β２アドレナリン・レセプター（１又は２）、変異体Ｇタンパク質レセプター・キナーゼ（ＧＲＫ）、アデニリル・シクラーゼ（ＡＣ）（例えば、心臓ＡＣ（例えば、ヒトＩＩ型、Ｖ型又はＶＩ型アデニル・シクラーゼ（米国特許第６４３６６７２号）））、Ｖ２バソプレシン・レセプター、筋小胞体Ｃａ２＋  ＡＴＰａｓｅ（ＳＥＲＣＡ２ａ）、ホスホランバン（ｐｈｏｓｐｈｏｌａｍｂａｍ）、β−アドレナリン・レセプター・キナーゼ、Ｎ−カドヘリン、コネクチン−４０、コネクチン−４２、コネクチン−４３、収縮性タンパク質（例えば、ミオシン重鎖（ＭｙＨＣ）、ミオシン軽鎖（ＭｙＬＣ）、ミオシン結合タンパク質Ｃ、アクチン、トロポミオシン、トロポニン（例えば、トロポニンＴ）、Ｍタンパク質、トロポモジュリン、筋原繊維タンパク質）、応力関連タンパク質（例えば、ＨＳＰ７０ｉ、ＨＳＰ２７、ＨＳＰ４０又はＨＳＰ６０のような熱ショックタンパク質（ＨＳＰ））、α−１アンチトリプシン、ＨＦ１−ａ、ＨＦ−１ｂ、ＭＥＦ２、肝細胞増殖因子（ＨＧＦ）、ＢＭＰ−２、ＢＭＰ−４、ＢＭＰ−１７、ＢＭＰ−１８、Ｐａｘ７、オキシトシン、オキシトシン・レセプター、筋細胞核因子、Ｆｒｚｂ（例えば、公開された米国出願第２００２０１４７３２９号を参照のこと）、Ｒｂ−相互作用ジンク・フィンガー・タンパク質（米国特許第６４６８９８５号）、ｅＮＯＳ、ｉＮＯＳ、セリン／スレオニン・プロテイン・ホスファターゼ、心肥大因子、ＣＴ−１、αサルコグリカン、βサルコグリカン、γサルコグリカン又はδサルコグリカン、低酸素誘導性因子１α、ｂｃｌ−２、ＦａｓＬ、サイトカインｇｐ１３０レセプター、ｇｐｌ３０、Ａｋｔ、アデノシンＡ３レセプター、アンギオゲニン（例えば、アンギオゲニン−１又はアンギオゲニン−２）、ＴＮＦα、ジストロフィン、タファジン（ｔａｆａｚｚｉｎ）、デスミン、ラミン、トロポニンＣ、カスパーゼ・阻害剤、ＥＲＫ型のＭＡＰキナーゼ（ｐ４２とｐ４４、抗アポトーシス���、ＩＬ−１Ｂ、血清放出因子とＩＬＧＦ（ＩとＩＩ）、ＮＧＦ、成長ホルモン（例えば、ヒト成長ホルモン）又はアンギオテンシン（例えば、アンギオテンシンＩＩ）。
【０１１２】
別の実施形態において、例えば遺伝性又は後天性の障害（例えば、特定の内因性遺伝子の過剰発現により特徴付けられる障害）を有する哺乳動物由来の細胞について、この導入遺伝子は、その内因性遺伝子の少なくとも一部分の逆相補体に実質的に対応し、宿主細胞において発現されるとその内因性遺伝子の発現の減少を生じるアンチセンス配列又はリボザイム配列を含む。あるいは、この導入遺伝子は、内因性遺伝子との相同組換え後にその内因性遺伝子の発現の減少を生じる配列を含む。例えば、以下の遺伝子産物の発現の減少を生じるアンチセンス・ベクターの使用は、自家細胞治療において有益である。この遺伝子産物には、以下が含まれるがこれらに限定されない：アポトーシスを誘導するもの（例えば、Ｆａｓ、ＢａｘｌとＡｐｏＩ）、又はＮａ／Ｃａ交換体、又はＭＡＰ（ｍｉｔｏｇｅｎ−ａｃｔｉｖａｔｅｄ  ｐｒｏｔｅｉｎ）キナーゼ、Ｊａｎｕｓキナーゼ（ＪＡＫ）／シグナル伝達因子もしくは転写アクチベータ、カルシウム／カルモジュリン依存的プロテイン・ホスファターゼ、カルシニューリン、カルニチン・パルモイル・トランスフェラーゼＩ、マトリックス・メタロプロテイナーゼ、ｅＮＯＳ、ｉＮＯＳ、セリン／スレオニン・プロテイン・ホスファターゼ、又は応力応答ＭＡＰキナーゼ（例えば、Ｊｕｎｋとｐ３８−ＭＡＰＫ）。
【０１１３】
本発明の目的について、制御エレメント（例えば、筋肉特異的プロモーターと誘導性プロモーター、エンハンサーなど）が特に使用される。このような制御エレメントには、以下が含まれるがこれらに限定されない：アクチン遺伝子ファミリーとミオシン遺伝子ファミリー由来のもの（例えば、ＭｙｏＤ遺伝子ファミリー（Ｗｅｉｎｔｒａｕｂら、Ｓｃｉｅｎｃｅ、２５１、７６１（１９９１））由来のもの）；筋細胞特異的エンハンサー結合因子ＭＥＦ−２（ＣｓｅｒｊｅｓｉとＯｌｓｏｎ、Ｍｏｌ．Ｃｅｌｌ  Ｂｉｏｌ．、１１、４８５４（１９９１））；ヒト骨格アクチン遺伝子と心臓アクチン遺伝子由来の制御エレメント（Ｍｕｓｃａｔら、Ｍｏｌ．Ｃｅｌｌ  Ｂｉｏ．、７、４０８９（１９８７））；筋肉クレアチン・キナーゼ配列エレメント（Ｊｏｈｎｓｏｎら、Ｍｏｌ．Ｃｅｌｌ  Ｂｉｏｌ．、９、３３９３（１９８９））とマウス・クレアチン・キナーゼ・エンハンサー（ｍＣＫ）エレメント；骨格速筋トロポニンＣ遺伝子、遅筋心臓トロポニンＣ遺伝子、遅筋トロポニンＩ遺伝子由来の制御エレメント、低酸素誘導性核因子（Ｓｅｍｅｎｚａら、Ｐｒｏｃ．Ｎａｔｌ．Ａｃａｄ．Ｓｃｉ．ＵＳＡ、８８、５６８０（１９９１）、Ｓｅｍｅｎｚａら、Ｊ．Ｂｉｏｌ．Ｃｈｅｍ．、２６９、２３７５７）；ステロイド誘導性エレメントとプロモーター（例えば、グルココルチコイド応答エレメント（ＧＲＥ）（ＭａｄｅｒとＷｈｉｔｅ、Ｐｒｏｃ．Ｎａｔｌ．Ａｃａｄ．Ｓｃｉ．ＵＳＡ  ９０、５６０３（１９９３）））；ＲＵ４８６誘導のための融合コンセンサス・エレメント；さらにテトラサイクリンにより調節される遺伝子発現を与えるエレメント（Ｄｈａｗａｎら、Ｓｏｍａｔ．Ｃｅｌｌ．Ｍｏｌ．Ｇｅｎｅｔ．、２１、２３３（１９９５）；Ｓｈｏｃｋｅｔｔら、Ｐｒｏｃ．Ｎａｔｌ．Ａｃａｄ．Ｓｃｉ．ＵＳＡ、９２、６５２２（１９９５））。
【０１１４】
心臓細胞限定的なプロモーターには、以下の遺伝子由来のプロモーターが含まれるがこれらに限定されない：α−ミオシン重鎖遺伝子（例えば、心室α−ミオシン重鎖遺伝子）、β−ミオシン重鎖遺伝子（例えば、心室β−ミオシン重鎖遺伝子）、ミオシン軽鎖２ｖ遺伝子（例えば、心室ミオシン軽鎖２遺伝子）、ミオシン軽鎖２ａ遺伝子（例えば、心室ミオシン軽鎖２遺伝子）、心筋細胞限定的な心臓アンキリン・リピートタンパク質（ＣＡＲＰ）遺伝子、心臓α−アクチン遺伝子、心臓ｍ２ムスカリン性アセチルコリン遺伝子、ＡＮＰ遺伝子、ＢＮＰ遺伝子、心臓トロポニンＣ遺伝子、心臓トロポニンＩ遺伝子、心臓トロポニンＴ遺伝子、心臓筋小胞体Ｃａ−ＡＴＰａｓｅ遺伝子、骨格α−アクチン遺伝子、ならびに人工の心臓細胞特異的プロモーター。
【０１１５】
さらに、房又は室（chamber）特異的プロモーターもまた使用できる。例えば、心房特異的発現について、ウズラ遅ミオシン鎖タイプ３（ＭｙＨＣ３）又はＡＮＰプロモーターが使用できる。心室特異的発現について、イロコイ（iroquois）・ホメオボックス遺伝子が使用できる。それにもかかわらず、心臓細胞又は筋肉細胞に特異的でない他のプロモーター及び／又はエンハンサー（例えば、ＲＳＶプロモーター）が、本発明の発現カセットと方法において使用できる。
【０１１６】
プロモーター及び／又はエンハンサーの他の供給源は、Ｃｓｘ／ＮＫＸ  ２．５遺伝子、タイチン（titin）遺伝子、α−アクチニン遺伝子、ミオメシン（myomesin）遺伝子、Ｍタンパク質遺伝子、心臓トロポニンＴ遺伝子、ＲｙＲ２遺伝子、Ｃｘ４０遺伝子、Ｃｘ４３遺伝子、さらにＭｅｆ２、ｄＨＡＮＤ、ＧＡＴＡ、ＣａｒＧ、Ｅ−ｂｏｘ、Ｃｓｘ／ＮＫＸ  ２．５又はＴＧＦ−βを結合する遺伝子由来のプロモーターとエンハンサー又はこれらの組み合わせである。
【０１１７】
好ましくは、トランスジェニック・ドナー細胞は、ドナー細胞の増殖、埋め込み、生存、分化及び／又は機能を増強する導入遺伝子、及び／又はドナー細胞中の内因性遺伝子の発現を減少、置換又は補充（増大）する導入遺伝子を含む。１実施形態において、この導入遺伝子の発現は、調節可能なプロモーター又は組織特異的なプロモーター（例えば、心筋細胞特異的なプロモーター）によって制御される。任意選択で、各々が異なる導入遺伝子を有するベクターの組み合わせが使用できる。
【０１１８】
外因性導入遺伝子のデリバリは、任意の手段（例えば、裸のＤＮＡ（例えば、導入遺伝子を含むベクター）、リポソーム、カルシウム媒介性形質転換、エレクトロポレーション又は形質導入（例えば、組換えウイルスを使用する）を用いたトランスフェクション）によって達成される。多数のトランスフェクション技術が当該分野で一般に公知である。例えば、Ｇｒａｈａｍら、Ｖｉｒｏｌｏｇｙ、５２、４５６（１９７３）、Ｓａｍｂｒｏｏｋら、Ｍｏｌｅｃｕｌａｒ  Ｃｌｏｎｉｎｇ：Ａ  Ｌａｂｏｒａｔｏｒｙ  Ｍａｎｕａｌ、Ｃｏｌｄ  Ｓｐｒｉｎｇ  Ｈａｒｂｏｒ  Ｌａｂｏｒａｔｏｒｉｅｓ、Ｎｅｗ  Ｙｏｒｋ（１９８９）、Ｄａｖｉｓら、Ｂａｓｉｃ  Ｍｅｔｈｏｄｓ  ｉｎ  Ｍｏｌｅｃｕｌａｒ  Ｂｉｏｌｏｇｙ、Ｅｌｓｅｖｉｅｒ（１９８６）及びＣｈｕら、Ｇｅｎｅ、１３、１９７（１９８１）を参照のこと。特に適切なトランスフェクション方法には、リン酸カルシウム共沈殿（Ｇｒａｈａｍら、Ｖｉｒｏｌ．、５２、４５６（１９７３））、培養細胞への直接的マイクロインジェクション（Ｃａｐｅｃｃｈｉ、Ｃｅｌｌ、２２、４７９（１９８０））、エレクトロポレーション（Ｓｈｉｇｅｋａｗａら、ＢｉｏＴｅｃｈｎｉｑｕｅｓ、６、７４２（１９８８））、リポソーム媒介性遺伝子転移（Ｍａｎｎｉｎｏら、ＢｉｏＴｅｃｈｎｉｑｕｅｓ、６、６８２（１９８８））、脂質媒介性形質導入（Ｆｅｌｇｎｅｒら、Ｐｒｏｃ．Ｎａｔｌ．Ａｃａｄ．Ｓｃｉ．ＵＳＡ、８４、７４１３（１９８７））及び高速マイクロプロジェクタイルを使用した核酸デリバリ（Ｋｌｅｉｎら、Ｎａｔｕｒｅ、３２７、７０（１９８７））が含まれる。細胞に外因性導入遺伝子をデリバリするために好ましい組換えウイルスには、組換えのレンチウイルス、レトロウイルス、アデノウイルス、アデノ随伴ウイルス（ＡＡＶ）、サイトメガロウイルスを含むヘルペスウイルスが含まれる。
【０１１９】
１実施形態において、組換えＡＡＶ（ｒＡＡＶ）がドナー細胞に導入遺伝子をデリバリするために使用される。筋芽細胞は、活性に分裂しながら形質導入されるか、又は分化した細胞培養物として形質導入されるかのいずれかである。分化は、２％  ウマ血清と標準濃度のグルタミン及びペニシリン−ストレプトマイシンを含むＤＭＥＭ中に、形質導入の前に４日間集密化未満の筋芽細胞を入れることによって誘導される。分化の確認は、培養物中の多核化した筋管の存在を決定するための顕微鏡分析による。筋管（分化した細胞）又は筋芽細胞（分裂中の細胞）は、培養物中で形質導入される。
【０１２０】
ｉｉ．他の外因性の生物学的薬剤
別の実施形態において、外因性の生物学的薬剤には、以下が含まれるがこれらに限定されない：血管新生タンパク質、例えば、酸性ＦＧＦ、塩基性ＦＧＦとＦＧＦ−５のようなＦＧＦ、ＶＥＧＦ（例えば、ＶＥＧＦ145、ＶＥＧＦ121、ＶＥＧＦ120、ＶＥＧＦ164、ＶＥＧＦ165、ＶＥＧＦ189、ＶＥＧＦ206）、ＩＧＦ−１、ＴＧＦ−β（例えば、ＴＧＦ−β1）、単独又は他のサイトカインと組み合わせたＬＩＦ、筋原性因子（例えばｍｙｏＤ）、ＲｙＲＺ（心臓リアノジン・レセプター）、Ｄｅｌ  Ｉ、ミオゲニン、パルブアルブミン、Ｍｙｆ５とＭＲＦ、ＧＡＴＡ−４のようなＧＡＴＡとｄＨＡＮＤ／ｅＨＡＮＤ、サイトカイン、例えば、カルジオトロフィン−１、カルセケストリン、ニューレグリン（例えば、ニューレグリン１、２又は３）とホメオボックス遺伝子産物（例えば、Ｃｓｘ、ティンマンとＮＫｘファミリー（例えば、ＮＫｘ２．５））、トランスフェリン、ＰＤＧＦ、ＥＧＦ、アドレノコルチコトロピン、マクロファージ・コロニー刺激因子、プロテイン・キナーゼＣアクチベータ、内皮増殖因子、β２アドレナリン・レセプター（１又は２）、変異体Ｇタンパク質レセプター・キナーゼ（ＧＲＫ）、ＡＣ（例えば、心臓ＡＣ（例えば、ヒトＩＩ型、Ｖ型又はＶＩ型アデニル・シクラーゼ（米国特許第６４３６６７２号）））、Ｖ２バソプレシン・レセプター、ＳＥＲＣＡ２ａ、ホスホランバン、β−アドレナリン・レセプター・キナーゼ、Ｎ−カドヘリン、コネクチン−４０、コネクチン−４２、コネクチン−４３、ＭｙＨＣ、ＭｙＬＣ、ミオシン結合タンパク質Ｃ、アクチン、トロポミオシン、トロポニン（例えば、トロポニンＴ）、Ｍタンパク質、トロポモジュリン、筋原繊維タンパク質）、応力関連タンパク質（例えば、ＨＳＰ７０ｉ、ＨＳＰ２７、ＨＳＰ４０又はＨＳＰ６０のようなＨＳＰ）、α−１アンチトリプシン、ＨＦ１−ａ、ＨＦ−１ｂ、ＭＥＦ２、ＨＧＦ、ＢＭＰ−２、ＢＭＰ−４、ＢＭＰ−１７、ＢＭＰ−１８、Ｐａｘ７、オキシトシン、オキシトシン・レセプター、筋細胞核因子、Ｆｒｚｂ（例えば、公開された米国出願第２００２０１４７３２９号を参照のこと）、Ｒｂ−相互作用ジンク・フィンガー・タンパク質（米国特許第６４６８９８５号）、ｅＮＯＳ、ｉＮＯＳ、セリン／スレオニン・プロテイン・ホスファターゼ、心肥大因子、ＣＴ−１、αサルコグリカン、βサルコグリカン、γサルコグリカン又はδサルコグリカン、低酸素誘導性因子１α、ｂｃｌ−２、ＦａｓＬ、サイトカインｇｐ１３０レセプター、ｇｐｌ３０、Ａｋｔ、アデノシンＡ３レセプター、アンギオゲニン（例えば、アンギオゲニン−１又はアンギオゲニン−２）、ＴＮＦα、ジストロフィン、タファジン、デスミン、ラミン、トロポニンＣ、カスパーゼ・阻害剤、ＥＲＫ型のＭＡＰキナーゼ（ｐ４２とｐ４４、抗アポトーシス）、ＩＬ−１Ｂ、血清放出因子とＩＬＧＦ（ＩとＩＩ）、ＮＧＦ、成長ホルモン（例えば、ヒト成長ホルモン）、アンギオテンシン（例えば、アンギオテンシンＩＩ）、イノトロープ（ｉｎｏｔｒｏｐｅ）、ノルエピネフリン、レチノイン酸、デキサメタゾン、５アザシチジン、又は例えば複数の増殖因子を含むＥＳ細胞由来の予め条件付けた培地。このような薬剤はまた、細胞治療の前、細胞��療の間又は細胞治療の後に、あるいはこれらの任意の組み合わせで、哺乳動物に投与される。
【０１２１】
ｉｉｉ．分化を誘導するための方法
非心筋細胞におけるその発現がその細胞の心筋細胞への分化を生じる導入遺伝子を非心筋細胞に導入することを含む、非心筋細胞を外因性薬剤と接触させるステップを含む任意の方法が、非心筋細胞の心筋細胞への分化を誘導するために使用できる。例えば、心筋細胞への分化は、ＤＮＡ脱メチル化剤、胎児の心臓発生領域で発現される因子、胎児の心臓発生段階において心筋細胞への分化を制御する因子、心筋細胞へと分化する能力を有する細胞の培養物上清、又はこれらの細胞から分化した心筋細胞の培養物上清での処理によって誘導される。例えば、ＭＳＣは、胎児、新生児と成体のラットの心臓細胞と共にＭＣＳを同時培養し、化学的フジゲン（例えば、ポリエチレングリコール又はセンダイ・ウイルス）を使用して、胎児、新生児と成体の心筋細胞とＭＳＣとのヘテロカリオンを生成し、ＭＣＳを哺乳動物の心臓の抽出物と共にインキュベートし、心臓組織において見出される細胞外マトリックスと関連分子を含め、ＭＣＳを増殖因子と分化薬剤で処理し、ＭＣＳの機械刺激及び／又は電気刺激を使用し、ＭＳＣを心筋細胞と機械的及び／又は電気的に結合することによって、心臓特異的な遺伝子を発現するように誘導される。同様に、内皮細胞は、新生児心筋細胞と同時培養される場合に心筋細胞へと分化するように誘導される（Ｃｏｎｄｏｒｅｌｌｉら、Ｐｒｏｃ．Ｎａｔｌ．Ａｃａｄ．Ｓｃｉ．ＵＳＡ、９８、１０７３３（２００１））。心筋細胞へと進むＭＣＳは、胎児心臓組織中に見出されるタンパク質を最初に発現し、次いで成体形態へと進む。
【０１２２】
ＥＳ細胞について、これらの細胞を肝細胞増殖因子、ＥＧＦ、塩基性ＦＧＦ、ＴＧＦ−β、ＢＭＰ−２、ＤＭＳＯ、オキシトシン、レチノイン酸と共に培養することにより、心筋細胞に富んだ培養物が得ることができる（Ｂｏｈｅｌｅｒら、Ｃｉｒｃ．Ｒｅｓ．、９１、１８９（２００２））（Ｘｕら、Ｃｉｒｃ．Ｒｅｓ．、９１、５０１（２００２）もまた参照のこと）。例えば、ヒト未分化ＥＳ細胞は、Ｔｈｏｍｓｏｎ、Ｓｃｉｅｎｃｅ、２８２、１１４５（１９９８）に記載されるような培養培地中の有糸分裂的に不活化された（マイトマイシンＣ）ＭＥＦフィーダー層上で増殖される。この培養培地は、２０％  ＦＢＳ（ＨｙＣｌｏｎｅ、Ｌｏｇａｎ、Ｕｔａｈ、ＵＳＡ）、１ｍＭ  Ｌ−グルタミン、０．１ｍＭ  メルカプトエタノール、１％  非必須アミノ酸ストック（全てＬｉｆｅ  Ｔｅｃｈｎｏｌｏｇｉｅｓ  Ｉｎｃ．から）を補充した８０％  ノックアウトＤＭＥＭ（ピルベートなしの高グルコース処方、Ｌｉｆｅ  Ｔｅｃｈｎｏｌｏｇｉｅｓ  Ｉｎｃ．、Ｒｏｃｋｖｉｌｌｅ、Ｍａｒｙｌａｎｄ、ＵＳＡ）を含む。分化を誘導するために、ＥＳ細胞を、コラゲナーゼＩＶ（Ｌｉｆｅ  Ｔｅｃｈｎｏｌｏｇｉｅｓ  Ｉｎｃ．、２０分間にわたって１ｍｇ／ｍｌ）を使用して小さい塊（３個〜２０個の細胞）に分散させる。次いで、これらの細胞をプラスチックのペトリ皿（Ｍｉｎｉｐｌａｓｔ、Ｅｉｎ  Ｓｈｅｍｅｒ、Ｉｓｒａｅｌ）に、５８ｍｍの皿中約５Ｘ１０6細胞の細胞密度で移し、この皿でこれらの細胞を７日〜１０日間懸濁物中で培養する。この段階の間、これらの細胞は凝集して胚様体（ＥＢ）を形成し、これを次いで０．１％ゼラチンで被覆した培養皿上に、１．９１ｃｍ2のウェル中１個〜５個のＥＢの密度で培養し、自発的収縮の出現について顕微鏡で観察する。ＤＭＳＯ（Ｓｉｇｍａ  Ｃｈｅｍｉｃａｌ  Ｃｏ．、Ｓｔ．Ｌｏｕｉｓ、Ｍｉｓｓｏｕｒｉ、ＵＳＡ）が、０．７５％（体積／体積）の濃度で、懸濁物中での１０日間の増殖の間に、分化を増強するためにこの培養培地に添加される。
【０１２３】
骨髄細胞は、ＤＮＡ脱メチル化剤、胎児の心臓発生領域で発現される因子、胎児の心臓発生段階において心筋細胞への分化を制御する因子、心筋細胞へと分化する能力を有する細胞の培養物上清、又はこれらの細胞から分化した心筋細胞の培養物上清での処理によって誘導される。ＤＮＡの脱メチル化を引き起こす化合物である限り任意のＤＮＡ脱メチル化剤が使用できる。適切なＤＮＡ脱メチル化剤には、染色体ＤＮＡ中のＧｐＣ配列中のシトシン残基のメチル化を特異的に除去する酵素であるデメチラーゼ、５−アザシチジン（本明細書中で「５−アザ−Ｃ」と称する）、ＤＭＳＯ（ジメチルスルホキシド）が含まれる。デメチラーゼ酵素の例には、Ｂｈａｔｔａｃｈａｒｙａら、Ｎａｔｕｒｅ、３９７、５７９（１９９９）中に開示されたデメチラーゼが含まれる。従って、心筋細胞へと分化する能力を有する細胞は、３μｍｏｌ／Ｌ〜１０μｍｏｌ／Ｌの５−アザ−Ｃの存在下で２４時間培養される。新たな培地で培養物上清を置換することによって５−アザ−Ｃを除去した後、これらの細胞をさらに２〜３週間培養して心筋細胞を得る。２〜３週間培養することによって生成された心筋細胞は主に洞結節細胞であるが、４週間より長く培養することにより、心室心筋細胞への分化が誘導される。１実施形態において、骨髄細胞は、分化を誘導するために５−アザ−Ｃ、ＢＭＰ−２又はＢＭＰ−４で処理される。
【０１２４】
胎児の心臓発生領域で発現される因子や胎児の心臓発生段階で心筋細胞への分化に対して作用する因子の例には、サイトカイン、レチノイン酸、接着分子、転写因子が含まれる。例示的なサイトカインには、ＰＤＧＦ、ＦＧＦ−８、エンドセリン１（ＥＴ１）、ミドカイン、ＢＭＰ−４が含まれ、ＰＤＧＦの好ましい例には、ＰＤＧＦ  Ａ、ＰＤＧＦ  Ｂ、ＰＤＧＦ  Ｃなどが含まれる。１実施形態において、このサイトカインは、１０ｎｇ／ｍｌ〜４０ｎｇ／ｍｌの濃度で使用できる。心筋原性分化を抑制するサイトカインの阻害剤（例えば、線維芽細胞増殖因子−２の阻害剤）、抑制性サイトカインのシグナル伝達を阻害する分子（例えば、サイトカイン活性を中和する抗体、低分子量化合物）を使用して心筋原性分化を刺激することも可能である。接着分子の例には、細胞外マトリックス（例えば、ゼラチン、ラミニン、コラーゲン、フィブロネクチンなど）が含まれ、転写因子の例には以下が含まれる：ホメオボックス型転写因子（例えば、Ｎｋｘ２．５／Ｃｓｘ、ＧＡＴＡファミリーに属するジンク・フィンガー型転写因子（例えば、ＧＡＴＡ４）、筋細胞増強因子−２（ＭＥＦ−２）ファミリーに属する転写因子であるＭＥＦ−２Ａ、ＭＥＦ−２Ｂ、ＭＥＦ−２Ｃ、ＭＥＦ−２Ｄ、塩基性ヘリクス・ループ・ヘリックス型転写因子に属する転写因子（例えば、ｄＨＡＮＤとｅＨＡＮＤ）、ならびにＴＥＡ−ＤＮＡ結合型転写因子ファミリーに属する転写因子（例えば、ＴＥＦ−１、ＴＥＦ−３、ＴＥＦ−５）。
【０１２５】
心筋原性分化はまた、自発的に拍動する心筋細胞から得られた細胞外マトリックスで被覆された培養皿において細胞を培養するか、細胞を自発的に拍動する心筋細胞と共に同時培養するか、又は自発的に拍動する心筋細胞の培養物上清を細胞に添加することによっても誘導される。
【０１２６】
心筋細胞へと分化する能力を有する骨髄細胞には、ＣＤ１１７＋とＣＤ１４０＋である細胞が含まれる。ＣＤ１１７＋とＣＤ１４０＋である細胞には、以下が含まれる：ＣＤ３４＋、ＣＤ１１７＋、ＣＤ１４０＋である細胞、ＣＤ３４−、ＣＤ１１７＋、ＣＤ１４０＋である細胞、ならびにＣＤ１４４＋、ＣＤ３４＋、ＣＤ１１７＋、ＣＤ１４０＋である細胞、ＣＤ１４４−、ＣＤ３４＋、ＣＤ１１７＋、ＣＤ１４０＋である細胞、ＣＤ１４４＋、ＣＤ３４−、ＣＤ１１７＋、ＣＤ１４０＋である細胞、ＣＤ１４４−、ＣＤ３４−、ＣＤ１１７＋、ＣＤ１４０＋である細胞、ＣＤ３４＋、ＣＤ１１７＋、ＣＤ１４−、ＣＤ４５−、ＣＤ９０−、Ｆｌｋ−１−、ＣＤ３１−、ＣＤ１０５−、ＣＤ１４４＋、ＣＤ１４０＋、ＣＤ４９ｂ−、ＣＤ４９ｄ−、ＣＤ２９＋、ＣＤ５４−、ＣＤ１０２−、ＣＤ１０６−、ＣＤ４４＋である細胞、ＣＤ３４＋、ＣＤ１１７＋、ＣＤ１４−、ＣＤ４５−、ＣＤ９０−、Ｆｌｋ−１−、ＣＤ３１−、ＣＤ１０５−、ＣＤ１４４−、ＣＤ１４０＋、ＣＤ４９ｂ−、ＣＤ４９ｄ−、ＣＤ２９＋、ＣＤ５４−、ＣＤ１０２−、ＣＤ１０６−、ＣＤ４４＋である細胞、ＣＤ３４−、ＣＤ１１７＋、ＣＤ１４−、ＣＤ４５−、ＣＤ９０−、Ｆｌｋ−１−、ＣＤ３１−、ＣＤ１０５−、ＣＤ１４４＋、ＣＤ１４０＋、ＣＤ４９ｂ−、ＣＤ４９ｄ−、ＣＤ２９＋、ＣＤ５４−、ＣＤ１０２−、ＣＤ１０６−、ＣＤ４４＋である細胞、さらにＣＤ３４＋、ＣＤ１１７＋、ＣＤ１４−、ＣＤ４５−、ＣＤ９０−、Ｆｌｋ−１−、ＣＤ３１、ＣＤ１０５−、ＣＤ１４４−、ＣＤ１４０＋、ＣＤ４９ｂ−、ＣＤ４９ｄ−、ＣＤ２９＋、ＣＤ５４−、ＣＤ１０２−、ＣＤ１０６−、ＣＤ４４＋である細胞。
【０１２７】
造血幹細胞について、造血幹細胞を心筋細胞へと分化するように誘導する増殖因子には以下が含まれるがこれらに限定されない：レチノイン酸、幹細胞因子、塩基性線維芽細胞増殖因子、酸性線維芽細胞増殖因子、内皮細胞増殖因子、線維芽細胞増殖因子−４、エンドセリン−１、インターロイキン（例えば、ＩＬ−２、ＩＬ−１０とＩＬ−１５を含む）、トランスフォーミング増殖因子α（ＴＧＦα）、トランスフォーミング増殖因子β（ＴＧＦβ）、ＧＭ−ＣＳＦ、ＩＧＦ−１、血小板由来増殖因子（ＰＤＧＦ）、骨形成因子−４、Ｗｎｔ（例えばＷｎｔ１１を含む、例えばＷｎｔ５ａクラスのメンバー）と任意選択でデキサメタゾン、ヒアルロン酸、３，３’，５−トリヨード−Ｌ−チロニン、ｃＡＭＰ、アンギオテンシンＩＩ、マンノース、β−メルカプトエタノール及び／又はプロテイン・キナーゼＣ（ＰＫＣ）阻害剤（例えばスフィンゴシンを含む）。
【０１２８】
線維芽細胞について、ＥＧＦがこれらの細胞の分化を誘導するために好ましい薬剤である。
【０１２９】
ｉｖ．生物学的条件付けに供されたドナー細胞の表現型を特徴付けるための例示的な方法
ドナー細胞中の導入遺伝子の発現を検出するための方法には、導入遺伝子特異的ＲＮＡ指向性の方法（例えば、ＲＴ−ＰＣＲ）又は導入遺伝子によってコードされる遺伝子産物を検出する方法（例えば、ＥＬＩＳＡを介する）が含まれる。遺伝子特異的アッセイの例には、例えば、ＡＣについてのもの（Ｓａｌｏｍｏｎら、Ａｎａｌ．Ｂｉｏｃｈｅｍ．、５８、５４１（１９７４）、Ｈａｍｍｏｎｄら、Ｃｉｒｃｕｌａｔｉｏｎ、８５、２６９（１９９２）、Ｈａｍｍｏｎｄら、Ｃｉｒｃｕｌａｔｉｏｎ、８、６６６（１９９２）を参照のこと）、β−アドレナリン・レセプターの結合又は含量についてのもの（Ｈａｍｍｏｎｄら、Ｃｉｒｃｕｌａｔｉｏｎ、８、６６６（１９９２）、Ｒｏｔｈら、ＦＥＢＳ  Ｌｅｔｔ．、２９、４６（１９９２））、ＧＲＫ2とＧＲＫ5の含量についてのもの（例えば、Ｐｉｎｇら、Ｊ．Ｃｌｉｎ．Ｉｎｖｅｓｔ．、９５、１２７１（１９９５）、及びＲｏｔｈら、ＦＥＢＳ  Ｌｅｔｔ、２９、４６（１９９２）を参照のこと）、ならびにＧタンパク質レセプター・キナーゼ活性についてのもの（Ｂｅｎｏｖｉｃ、Ｍｅｔｈｏｄｓ  Ｅｎｚｙｍｏｌｏｇｙ、２００、３５１（１９９１）、Ｐｉｎｇら、Ｊ．Ｃｌｉｎ．Ｉｎｖｅｓｔ．、９５、１２７１（１９９５）、Ｐｉｎｇら、Ｊ．Ｃｌｉｎ．Ｉｎｖｅｓｔ．、９５、１２７１（１９９５）、Ｕｎｇｅｒｅｒら、Ｃｉｒｃｕｌａｔｉｏｎ、８７、４５４、（１９９３）を参照のこと）が含まれる。
【０１３０】
１実施形態において、好ましいドナー細胞は、例えば心臓組織又は非心臓組織から調製された心筋細胞である。心筋細胞特異的なタンパク質の発現の検出は、例えば、ミオシン重鎖モノクローナル抗体に対する抗体（例えば、ＭＦ２０（ＭＦ２０））、筋小胞体カルシウムＡＴＰａｓｅ（ＳＥＲＣＡ１）に対する抗体（例えば、ｍｎＡｂ  １０Ｄ１）又はギャップ結合に対する抗体を使用して、例えば、コネクチン４３やホスホランバンに対する抗体を使用することによって、又は以下の遺伝子の発現を検出することによって達成される：タイチン（Ｚ帯）、α−アクチニン、ミオメシン、サルコメア・ミオシン重鎖、サルコメアα−アクチン、心臓トロポニンＴ、Ｍタンパク質、ＲｙＲ２、Ｃｘ４０、Ｃｘ４３。心筋細胞へのＥＳ細胞の分化について、以下の遺伝子の発現がモニタリングされる：Ｎｋｘ  ２．５、ＭＥＦ２ｃ、ＧＡＴＡ４／５／６、デスミン、Ｍ−カドヘリン、βｌ−インテグリン、オキシトシン、オキシトシン・レセプター、心臓ミオシン重鎖、ミオシン軽鎖２Ａ又は２Ｃ、心臓トロポニンＩ、トロポニンＣとＡＮＰ。骨髄由来のＭＳＣの分化について、以下の遺伝子の発現がモニタリングされる：β１アドレナリン・レセプターとβ２アドレナリン・レセプター（例えば、イソプロテレノールへの細胞の応答を介する）又はムスカリン性レセプター（例えば、カルバコールへの細胞の応答を介する）。
【０１３１】
心房様細胞は、ムスカリン性アセチルコリン活性化Ｋ＋チャンネルと内向き整流性Ｋ＋チャンネルに関連するが過分極活性化ペースメーカー・チャンネルに関連しないイオン電流を有する細胞として同定され、一方心室様細胞は、内向き整流性Ｋ＋チャンネルとＳＲリアノジン感受性のカルシウム放出チャンネルに関連するが、ムスカリン性アセチルコリン活性化Ｋ＋チャンネルにも過分極活性化ペースメーカー・チャンネルにも関連しないイオン電流を有する細胞として同定される。洞結節様細胞は、ムスカリン性アセチルコリン活性化Ｋ＋チャンネルとＳＲリアノジン感受性のカルシウム放出チャンネル、ならびに過分極活性化ペースメーカー・チャンネルに関連するが、内向き整流性Ｋ＋チャンネルには関連しないイオン電流を有する細胞として同定できる。
【０１３２】
１実施形態において、ｉｎ  ｖｉｔｒｏの生物学的条件付けに供されたドナー細胞は、自発的に収縮又は拍動する。
【０１３３】
ドナー細胞の組成物、投薬量、投与経路
本発明の組成物は、異なる供給源由来の細胞を含むドナー細胞を含み、かつドナー細胞の埋め込み、生存、増殖及び／又は分化を増強するか、心機能を増強するか又は血管新生を刺激する薬剤を任意選択で含む。投与すべき細胞は、個々の細胞又は２次元もしくは３次元の構造を形成するように培養物中で増殖した細胞の集団である。投与すべき細胞の数は、レシピエントに対して有益な効果を生じる量である。例えば、１０2〜１０10、例えば、１０3〜１０9、１０4〜１０8又は１０5〜１０7の細胞が、目的の領域（例えば、梗塞した組織と梗塞した組織の周囲の組織）に投与（例えば注射）される。心機能を増強するか又は血管新生を刺激する薬剤には、以下が含まれるがこれらに限定されない：ピルベート、カテコールアミン刺激剤、線維芽細胞増殖因子（例えば、塩基性線維芽細胞増殖因子、酸性線維芽細胞増殖因子、線維芽細胞増殖因子−４、線維芽細胞増殖因子−５）、上皮増殖因子、血小板由来増殖因子、血管内皮増殖因子（例えば、ＶＥＧＦ121、ＶＥＧＦ145、ＶＥＧＦ165、ＶＥＧＦ189又はＶＥＧＦ206）、組織増殖因子など。このような薬剤は本発明の組成物中に任意選択で存在するか又は別々に投与される。
【０１３４】
これらの細胞は、予防的、診断的又は治療的な血管手順又は侵襲性もしくは最小に侵襲性の外科的手順の間に投与される。１実施形態において、これらの細胞は、心筋梗塞の後、数時間（例えば、１時間〜１２時間）以内から数日（例えば、１日〜２日）まで、そして心筋梗塞後１又は複数の週間までに投与される。好ましくは、ドナー細胞の投与は瘢痕形成の前である。これらの細胞は、静脈内、経静脈、心筋内又は任意の他の従来の経路により投与され、針、カテーテル（例えば、注射針又は注入ポートを含むカテーテル）又は他の適切なデバイスによりデリバリされる。いくつかの例示的なデリバリ装置と方法には、本明細書中に提供される教示が含まれるがこれらに限定されない。
【０１３５】
１実施形態において、一旦投与されると、これらのドナー細胞は、隣接細胞との機能的接続である隣接細胞（レシピエント中の生存細胞を含む）との膜チャンネルを生じ、まだ分化していない場合には心筋細胞に分化する。
【０１３６】
心臓組織の電気治療の実施形態
細胞治療の後、処置すべきと同定された組織領域は、１５０で電気治療に供される。心臓組織の例において、電流は、損傷を受けた組織にわたってか又は損傷を受けた組織に隣接して課される。１実施形態において、埋め込まれたカテーテル・リード線を有するペースメーカーが、組織の同定された領域に適切なペーシング刺激を与えるために使用される。種々の実施形態において、１つ又は複数の電極が、同定された組織領域の部分にわたって電場を印加するために働く。埋め込まれたペースメーカーの適用において、ペースメーカー・ハウジングが電極として働き得る。
【０１３７】
１実施形態において、このペースメーカーは、固有の房室間隔と比較して相対的に短い房室遅延を使用したＶＤＤペーシングを実施するためにプログラムされる。このような実施形態において、電気的ペース波面は、ペーシング刺激を用いて同定された領域を電気生理学的に捕捉して機械的に負荷をかけないようにするために、心臓周期中の非常に初期に梗塞した領域の近傍にある。ＶＤＤモードのペースメーカーは、正常な洞リズムの速度に近い速度を心臓に維持させ、活性化パターンのよりよい制御を与える。心室は、不必要にぺーシング・レートを速めることなく予め興奮される。この方法において、脱分極波面はペーシングされた複合波面と融合して、心室の最も固有の活性化を生じ、損傷を受けた組織領域の予めの興奮をなお与える。別の実施形態において、このペースメーカーは、固有の房室間隔（少なくとも心室拍動が固有である場合に測定した）と比較して相対的に短い房室遅延を使用したＤＤＤペーシングを実施するためにプログラムされる。ＤＤＤモードのペースメーカーは、心臓が正常な洞リズムを維持できない場合に正常速度又は所望の速度で心臓を拍動させる。ＶＤＤモードとＤＤＤモードが各々、右心室（ＲＶ）と左心室（ＬＶ）の両方が同じか又は異なる房室遅延でペーシングされる、二心室性変形モードを含む。他のペーシング・モードが可能であり、本明細書中に提供されるペーシング・モードは、網羅的意味も排他的意味も意図しない。
【０１３８】
種々の実施形態と組み合わせにおいて、この電気治療は、特定の細胞治療との使用のための異なるプログラミング・モードを含む。１実施形態において、電気治療は、心臓組織を条件付けて細胞の埋め込みを改善するために、比較的活動的でない期間の間に呼び出される。例えば夜間の睡眠の間が一般的である。１実施形態において、電気治療は、その間に心臓壁の応力が電気的な予めの興奮を介して低下される患者の肉体的活動に基づいて起動される。このような肉体的活動は、加速度計のデータの検出によって測定される。１実施形態において、この電気治療は、一日の決まった時刻について又は特にプログラムされたＭ：Ｎのある比率での固有の拍動（Ｍ拍）とペーシングされた拍動（Ｎ拍）の繰り返しパターンの間に起動される。プログラム可能なマイクロプロセッサを特徴とする実施形態において、一日の時間は、プログラミングの際にこのマイクロプロセッサにダウンロードされ、治療はプログラム可能に選択可能である。種々の実施形態と組み合わせにおいて、電気治療は、予め選択されたセンサ入力の際に伝達される。例えば、電気治療は、検出された患者の活動に対して起動される（連続パターン又はＭ：Ｎパターン）。１実施形態において、電気治療は、患者の応力の検出の際に起動される。１実施形態において、電気治療は、例えば睡眠中の心臓において、心室が膨張してより充填されている場合の患者の高い代謝応力の検出の際に起動される。１実施形態において、局所的応力を決定するために内部圧力が測定される。異なるセンサが、電気治療の伝達のための条件を決定するために使用できる。
【０１３９】
さらなるプログラミング・モードが本発明の記載によって企図される。例えば、１実施形態において、可変性のプログラミング・モードは、特化した細胞治療のペーシング・サイクルが散在した伝統的な電気的ペーシングを組み込む。１実施形態において、このようなペーシングは、複数の利益を与えるために患者の心臓に相補的なペーシング治療を施すために使用される。１実施形態において、種々のペーシングが、使用率を使用して加えられる。例えば、第二の型のペーシングに対する第一の型のペーシングの比率は、患者に複数のペーシング治療を与えるために埋め込み可能なデバイス中にプログラムされる。これは、使用率のプログラム可能性が少なくとも１つの他のペーシング治療の時点で補う電気治療と処置された細胞治療を生じる新たなペーシング・モードを与える。
【０１４０】
別のペーシング変法は、劇的に変化する房室遅延を与える。１つの例示的な実施形態において、房室遅延は、所定の時間期間にわたって増大される。１実施形態として、房室遅延は、所定の時間（例えば、３ヶ月間）にわたって各日に約１ミリ秒伸ばされる。１実施形態において、この房室遅延は、所定量の時間（例えば、２ヶ月間）にわたって１０ミリ秒伸ばされる。このような実施形態において、房室遅延における増加する増大は、電極の位置に基づいて心臓領域への漸進的な負荷を生じる。類似であるが反対の効果が、房室遅延を漸進的に短縮することによって得ることができる。特定の範囲の心筋が漸進的に負荷を解かれて、房／室、組織と細胞のレベルで所望の表現型的変化を生じる。
【０１４１】
他の実施形態と組み合わせが、本発明の治療システムの範囲から逸脱せずに可能である。上記の実施形態は、本発明の治療システムのいくつかの種々の実施形態を実証することが意図され、排他的意味も網羅的意味も意図しない。
【０１４２】
１実施形態において、ペーシング・リードは、埋め込みの部位に可能な限り近くに位置決められる。位置決めは、心臓の電気生理学（例えば、ＥＣＧ）、心エコー法マッピング又はカテーテル・ベースの電圧マッピングを使用して実施される。他の位置決め方法が、本発明の教示の範囲から逸脱せずに可能である。
【０１４３】
リード配置は、最小の開胸術で埋め込まれた心外膜リード及び／又はカテーテル・リード線を使用して可能である。左心室領域の処置は、冠状動脈構造中に位置決められたリードを使用して可能である。
【０１４４】
複数の梗塞した組織領域が複数の細胞治療処置と電気治療処置を使用して処置されることは理解できるであろう。
【０１４５】
非ヒト動物モデル（例えば、げっ歯類、ウサギ、イヌ又はブタのモデル）は、特定の兆候又は状態を阻害し又は処置するのに有用なペーシング・パラメータと細胞パラメータを決定するために使用できる。例えば、Ｊａｉｎら、前出、Ｓｕｚｕｋｉら、前出、Ｐｏｕｌｅｕｒら、Ｅｕｒ．Ｊ．Ｃｌｉｎ．Ｉｎｖｅｓｔｉｇ．、１３、３３１（１９８３）、Ｈａｍｍｏｎｄ、Ｊ．Ｃｌｉｎ．Ｒｅｓ．、９２、２６４４（１９９３）、Ｔａｙｌｏｒら、Ｐｒｏｃ．Ａｓｓｏｃ．Ａｍ．Ｐｈｙｓ．、１０９、２４５（１９９７）、及びＲｏｔｈら、Ｊ．Ｃｌｉｎ．Ｒｅｓ．、９１、９３９（１９９３））を参照のこと。心筋梗塞の動物モデルについて、有効なペーシングと細胞治療は、心機能の改善（例えば、増大した最大運動能力、収縮性能と伝播速度、減少した有害な再構築、減少した瘢痕後の拡張、減少したアポトーシス、増大した血管新生、さらに増大したドナー細胞の埋め込み、生存、増殖、機能）を生じる。ドナー細胞の機能は、生化学的マーカー（例えば、埋め込まれたドナー細胞における筋管形成、α−アクチニン、タイチン、ミオメシン、サルコメア・ミオシン重鎖、α−アクチンなどの存在及び／又はレベル、ギャップ結合タンパク質）を使用して（Ｐｉｍｅｎｔｅｌら、ＣｉｒｃｕｌａｔｉｏｎＲｅｓ、９０、６７１（２００２）を参照のこと）、及びドナー細胞のレシピエントにおける全体的と局所的な心機能の改善によって決定される。ｅｘ  ｖｉｖｏモデルにおいて、収縮期と拡張期の圧力−体積関係が、特定の治療の有効性を決定するために使用できる。
【０１４６】
心機能管理デバイスの実施形態
図３は、本明細書中に記載される電気治療を実施するペースメーカーを示す。本明細書中で使用する場合、用語ペースメーカーは、心臓をペーシングするための任意の心臓リズム管理デバイスを意味し、これには、埋め込み可能なペースメーカー、外部ペースメーカー、ペーシング機能性を有する埋め込み可能な心臓除細動器／コンバータが含まれる。２つの心室ペーシング・チャンネルを有する心臓ペースメーカーのブロック図が図３に示される。マイクロプロセッサ３１０は、二方向性データ・バスを介してメモリ３１２と連絡する。種々の実施形態において、メモリ３１２は、プログラムの記憶のためのＲＯＭ又はＲＡＭとデータ記憶のためのＲＡＭを含む。１実施形態において、この制御ユニットは、デバイスの作動を制御するためにプログラムされたマイクロプロセッサの代わりにか又はそれに加えてのいずれかで、専用回路を含む。１実施形態において、このペースメーカーは、指定されたペーシング・モードとペーシング・パラメータに従ってペースメーカーを操作するため、さらにはデータ獲得機能を実施するための論理機能とタイミング機能を実行するためにプログラム可能なマイクロプロセッサを使用する。遠隔測定インターフェース３４０もまた、外部プログラマーと連絡するために設けられている。このような外部プログラマーは、ペーシング・モードを変化させ、操作パラメータを調整し、デバイスによって記憶されたデータを受信し、ペースメーカーの作動に影響を与えるコマンドを発行するために使用できる。このようなインターフェースはまた、本明細書中に記載され、本明細書中で援用される文書により提供されるような進歩した患者管理デバイス（例えば、携帯用コンピュータ、ＰＤＡ、他のワイヤレス・デバイス）との連絡を与える。
【０１４７】
治療の適用について肉体的動作の検出を組み込む実施形態において、このペースメーカーは、運動を検出するためのセンサを含む。例えば、加速度計と微小な換気センサが、これらの目的のために組み込まれる。いくつかの実施形態は、治療の適用のための一日の時間を組み込む。このような実施形態は、タイミング・モジュールを含み、プログラマー又は他のワイヤレス・デバイスからの情報を使用してそれらをアップデートする。
【０１４８】
このペースメーカーは、電極３３４、リード３３３、感度増幅器／フィルタ３３１、パルス発生器３３２を含み、さらにマイクロプロセッサ１０のポートと二方向で連絡する心房チャンネル・インターフェース３３０を含む心房センシング／刺激チャンネルを有する。このデバイスはまた、電極３２４Ａ〜Ｂ、リード３２３Ａ〜Ｂ、感度増幅器３２１Ａ〜Ｂ、パルス発生器３２２Ａ〜Ｂ、心室チャンネル・インターフェース３２０Ａ〜Ｂを含む２つの心室センシング／刺激チャンネルを有する（ここで「Ａ」は一方の心室チャンネルを示し、「Ｂ」は他方の心室チャンネルを示す）。各チャンネルについて、同じリードと電極がセンシング（すなわちＰ波とＲ波の検出）と刺激の両方のために使用される。心室電極は、二心室性のペーシングのために各心室中に、又は心室の複数部位でのペーシングのために一方のみの心室中に配置される。チャンネル・インターフェース３２０Ａ〜Ｂ、３３０は、感度増幅器からのセンシング信号入力をデジタル化するためのアナログ・デジタル・コンバータと、刺激パルスを出力し、刺激パルスの振幅を変化させ、感度増幅器についての利得値と閾値を調整するためにマイクロプロセッサによって書き込まれるレジスターを含む。チャンネル・インターフェースによる感知された信号のデジタル化後、この信号サンプルは、さらなるフィルタリングを実施するためにマイクロプロセッサによって実行されるアルゴリズムによって、デジタル・ドメインにおいて処理される。タイミング目的のためのＲ波とＰ波のピークの検出もまた、デジタル的に実施される。あるいは、標準的なピーク検出回路が使用できる。
【０１４９】
１実施形態において、このリード・システムは心内膜リードを含むが、他のタイプのリード（例えば、心外膜リード）もまた、本発明の教示の範囲内で使用できる。１実施形態において、第一の心室リード・システムが、心臓の第一の心臓領域に配置されるようになっている。１実施形態において、心臓の第一の心臓領域は、冠状洞及び／又は左心室に隣接する心臓の大心静脈内にある。１実施形態において、第一のリード・システムは、多数の電極と電気的接触を含む。先端電極は、第一のリード・システムの遠位末端又はその近傍に位置決めされ、第一のリード・システム内に備えた導体を介して終端まで電気的に接続する。第一のリード・システムはまた、先端電極に対して近位に間隔をおいた近位電極を含む。１実施形態において、この近位電極は、心臓の左心室に隣接した配置のために先端電極に対して近位に間隔がおかれる。この近位電極は、第一のリード・システム内の内部導体を介して終端まで電気的に接続される。この近位電極は、第一のリード・システムの周辺表面を取り囲むか又は半分取り囲む、環状又は半環状の構成のいずれかである。
【０１５０】
このペースメーカーは第二の心室リード・システムをさらに含む。１実施形態において、この第二のリード・システムは、心内膜リードであるが、他のタイプのリード（例えば、心外膜リード）が、本発明の教示の範囲内で使用できる。第二の心室リード・システムは、心臓の第二の心臓領域内に配置されるようになっている。１実施形態において、心臓の第二の心臓領域は、心臓の右心室である。１実施形態において、第二のリード・システムは、多数の電極と電気的接触を含む。例えば、１実施形態において、先端電極は、第二のリード・システムの遠位末端又はその近傍に位置決めされ、終端への接続のために、このリード中に備えた導体を介して電気的に接続する。この第二のリード・システムは、右心室における配置のためにその遠位末端に対して近位に間隔をおいた第一の除細動コイル電極を任意選択でさらに含む。この第一の除細動コイル電極は、第二のリード・システムの本体内の内部導体を介して、両方の終端に電気的に接続される。この第二のリード・システムはまた、第二の除細動コイル電極が心臓の右心房又は右心房に通じる主要な静脈内に位置決められるように、第二のリード・システムの遠位末端から離れて近位に間隔をおいた第二の除細動コイル電極を任意選択で含む。この第二の除細動コイル電極は、第二のリード・システムの本体内の内部導体を介して終端まで電気的に接続される。
【０１５１】
種々の実施形態において、このシステムは、複数の心房電極を含み、除細動構成要素を任意選択で含む。電極の構成と配置は、本発明の教示の範囲から逸脱せずに変動する。
【０１５２】
１実施形態において、このペースメーカーは、種々のペーシング・モードとセンシング・モードのためのパラメータを含む、マイクロプロセッサとメモリを有するプログラム可能なマイクロプロセッサ・ベースのシステムである。ペーシング・モードには、正常なペーシング、オーバードライブ・ペーシング又はバースト・ペーシングと心室頻脈性不整脈の予防のためのペーシングが含まれるがこれらに限定されない。このシステムはまた、房室遅延を調整するための手段を含む。このマイクロプロセッサは、ＲＦレシーバー／トランスミッターの形態で、内部コントローラと連絡するための手段をさらに含む。これはアンテナを含み、それにより外部コントローラへの信号を受信し、外部コントローラへと信号を伝達する。この様式において、プログラミング・コマンド又はプログラミング命令を、移植後にマイクロプロセッサに転送できる。１実施形態において、作動データが作動の間にメモリ中に記憶される。このデータは、医学的分析のために外部コントローラに転送できる。
【０１５３】
１実施形態において、ペーシング・パルスは、２つの心室ペーシング位置で調和されたペーシング・スキームを実施するためにマイクロプロセッサによって制御される。ペーシング・モードには、正常な洞リズム・ペーシング・モード、心室頻脈性不整脈を処置するためのオーバードライブ・ペーシング・モードもしくはバースト・ペーシング・モード、及び／又は心室頻脈性不整脈の発症を予防するためのペーシング措置が含まれるがこれらに限定されない。２つの心室ペーシング位置からペーシングを与えることのさらなる利点には、１つのペーシング・システムが仮に失敗した場合に、２つのペーシング・システムのいずれか１つの代わりにバックアップ・ペーシング・システムと他方の代わりの位置として働く能力が含まれる。
【０１５４】
心房センシング回路は、電気的な心房心臓信号を受信、感知及び／又は検出するために、心房リードにより心臓へと結合される。このような心房心臓信号には、心房の収縮に対応する心房の活性化（心房の脱分極又はＰ波とも称される）が含まれる。このような心房心臓信号には、正常な心房リズムと心房の頻脈性不整脈（例えば心房細動）を含む異常な心房リズムと他の心房活動が含まれる。心房センシング回路は、とりわけ感知された固有の心房心臓収縮の存在を示すために、１つ又は複数の信号をコントローラに与える。
【０１５５】
心房治療回路は、生じた誘発された心房脱分極を得るために、適切な場合、心臓の心房の１つ又はその近傍に配置された電極に心房ペーシング治療を施す。１実施形態において、この心房治療回路はまた、適切な場合、心房細動及び／又は他の心房頻脈性不整脈を終結させるために、心臓の心房の１つ又はその近傍に位置決めされた電極で心臓除細動／除細動治療を施す。
【０１５６】
図３は埋め込まれた心臓リズム管理デバイスを示すが、これらの教示は、心臓リズム管理デバイス以外のデバイスで使用できることは理解できるであろう。これらの教示は、非哺乳動物の心臓治療にも適用可能である。当業者であれば、本説明を読んで理解すると、本発明の教示の範囲内の他の使用と変法を認識されよう。
【０１５７】
図４は、心筋梗塞に従う心臓組織の領域への細胞治療の管理と電気治療の１実施形態を示す。心臓４０２は、罹患した領域４００中の心筋梗塞によって損傷を受けた組織を有する左心室４０４を含む。罹患した領域４００は、本明細書中に記載される方法を含む方法によって決定される。細胞治療４０６は、例えば、経静脈、経動脈、心筋内で罹患した領域４００に密に近位に、又は隣接する非梗塞組織中に、及び／又は罹患した領域４００に直接的に好ましくは行われ、電気治療は、プログラム可能なパルス発生器４０８とリード４１０を使用して実施される。
【０１５８】
この電気治療は、梗塞した心筋又は不活発化した心筋の好ましくは近傍で、細胞の埋め込み、生存、増殖及び／又は機能、さらには任意選択で分化を増強するための細胞治療に対する標的化された部位を含むｉｎ  ｖｉｖｏのペーシングを含む。このペーシングは、ドナー細胞と非梗塞レシピエント心筋細胞との間のギャップ結合の首尾よい形成を含むドナー細胞の首尾よい埋め込みをさもなくば阻害する、病変の局所的な応力と拘束に加えられる。従ってこのような治療は、ネイティブの心筋の隣接細胞への機械的接続と電気的接続の両方に影響を与える。特に、このような部位又はその近傍でのペーシングは、ネイティブの心筋の機能とドナー細胞の機能とを調和させるために必要とされる新たなギャップ結合の発生を増強する。この治療はまた、標的化された細胞治療の部位での代謝的要求を制御するように働いて、ドナー細胞の生存率を増大させる。筋細胞の電気刺激が血管新生を促進する因子の放出を促進するという別の利益がある。１実施形態において、電気治療は、例えば、ポンプ効率、酸素消費及び／又は機械的同期性を改善し、代謝負荷及び／又は代謝応力を低下させ、かつ／あるいは応力−拘束パターンを再度方向付けることによって、損傷を受けた心臓組織において局所的環境を改善する。１実施形態において、ｉｎ  ｖｉｔｒｏで培養された細胞の予めの条件付け（例えば、薬物又は他の化学的薬剤及び／又は導入遺伝子の発現及び／又は電気刺激及び／又は機械刺激での）は、これらの細胞のｉｎ  ｖｉｖｏでの埋め込み、生存、増殖、分化及び／又は機能を利する可能性がある。
【０１５９】
ｉｎ  ｖｉｖｏの左心室ペーシングは、房室遅延、ＲＶ−ＬＶオフセット（例えば、ＲＶペーシング・パルス伝達とＬＶペーシング・パルス伝達との間の心室間遅延、又はＲＶペーシング・パルス伝達とＬＶペーシング・パルス伝達について２つの独立した房室遅延を適用することによる）、刺激部位の交替、心拍数、ペーシング波形パラメータを管理することによって、局所的応力を制御する。ＬＶ刺激はまた、ｉｎ  ｖｉｖｏでドナー細胞の埋め込み、生存、増殖、分化及び／又は機能を促進し、ペーシングの波形、速度、部位に基づいて制御可能である。
【０１６０】
１実施形態において、このペースメーカーは、固有の房室遅延と比較して相対的に短い房室遅延を使用したＶＤＤペーシングを実施するためにプログラムされる。別の実施形態において、このペースメーカーは、固有の房室間隔（少なくとも心室拍動が固有である場合に測定した）と比較して相対的に短い房室遅延を使用したＤＤＤペーシングを実施するためにプログラムされる。他の電気治療が、本明細書中の教示を考慮して可能である。例えば、罹患した領域が、細胞治療の注射の前にこの領域を強化するために予め処理されることが可能である。本明細書中に提供される教示を読んで理解すると、当業者は、本発明の教示の範囲から逸脱することなく他の電気治療が可能であることを理解する。
【０１６１】
図５Ａは、心臓リズム管理システム５００の部分の１実施形態とこれが使用される環境を、限定としてではなく例として示す模式図である。システム５００は、血管内心膜内リード５１０又は他のリードによって患者５２０の心臓５１５へと結合された、電子装置とも称される埋め込み可能な心臓リズム管理デバイス５０５を含む。埋め込み可能な心臓リズム管理デバイス５０５にはペースメーカーが含まれる。システム５００は、遠隔測定デバイス５３０を使用して埋め込み可能な心臓リズム管理デバイス５０５とのワイヤレス連絡を与える外部プログラマー５２５もまた含む。リード５１０は、埋め込み可能な心臓リズム管理デバイス５０５に結合された近位末端５３５と心臓５１５の１つ又は複数の部分に結合された遠位末端５４０を含む。図５Ａは埋め込まれた心臓リズム管理デバイスを有するヒトを示すが、これらの教示が心臓リズム管理デバイス以外のデバイスで使用できることは理解できるであろう。これらの教示は、非哺乳動物の心臓治療にも適用可能である。当業者であれば、本説明を読んで理解すると、本発明の教示の範囲内の他の使用と変法を認識されよう。
【０１６２】
図５Ｂは、本発明の１実施形態に従う埋め込まれたデバイスと治療の管理のために埋め込まれたデバイスと連絡したワイヤレス・デバイスを示す図である。１実施形態において、ワイヤレス・デバイス５５５は、埋め込み可能な心臓リズム管理デバイス５０５との連絡を伝導するために使用される。１つの適用において、ワイヤレス・デバイス５５５は携帯情報端末（ＰＡＤ）である。１実施形態において、ワイヤレス・デバイス５５５はワイヤレス・インターフェースを有するコンピュータである。１実施形態において、ワイヤレス・デバイス５５５は携帯電話である。埋め込み可能な心臓リズム管理デバイス５０５とワイヤレス・デバイス５５５との間の連絡は、ペースメーカーの作動と治療を調和させるため、及び／又はデバイスの作動と生理学的データをワイヤレス・デバイス５５５と連絡した別の部位に連絡するために使用できる。図５Ｃは、ネットワーク５６５がワイヤレス・デバイス５５５と接触する連絡の１実施形態を示す。ワイヤレス・デバイス５５５とネットワーク５６５との間の接続は、ワイヤード又はワイヤレスのいずれかである。１実施形態において、ネットワーク５６５はインターネットである。遠隔設備５７５は、医師又は健康管理提供者が埋め込み可能な心臓リズム管理デバイス５０５からのデータにアクセスする医療設備又は場所である。あるいは、データ及び／又は命令は、遠隔設備５７５からワイヤレス・デバイス５５５及び／又は埋め込み可能な心臓リズム管理デバイス５０５へと伝達される。あるいは、命令とデータは、遠隔設備、ワイヤレス・デバイス及び／又は埋め込み可能な心臓リズム管理デバイス５０５間で二方向で転送できる。
【０１６３】
このネットワークは、多数のコンピュータ処理ユニットが互いに離れているが、同じ隣接プロパティ内にある場合に、これらのユニットを相互接続して、私設通信機能をインストールできるようにする連絡システムである。このネットワークはまた、複数のコンピュータ・プロセッサのいくつか又は全てが同じ筐体内にありかつ共通の背面によって接続される場合に、これらのプロセッサが互いに連絡するのを可能にする機能を含む。
【０１６４】
遠隔設備とワイヤレス・デバイスとの接続は、進歩した患者管理に有用である。患者管理のためのいくつかの例示的な装置と方法には、その全体が参考により援用される表題「Ｍｅｔｈｏｄ  ａｎｄ  Ａｐｐａｒａｔｕｓ  ｆｏｒ  Ｅｓｔａｂｌｉｓｈｉｎｇ  Ｃｏｎｔｅｘｔ  Ａｍｏｎｇ  Ｅｖｅｎｔｓ  ａｎｄ  Ｏｐｔｉｍｉｚｉｎｇ  Ｉｍｐｌａｎｔｅｄ  Ｍｅｄｉｃａｌ  Ｄｅｖｉｃｅ  Ｐｅｒｆｏｒｍａｎｃｅ」の米国特許出願第１０／０９３３５３号（２００２年３月６日出願）中に提供される教示が含まれるがこれらに限定されない。
【０１６５】
ｉｎ  ｖｉｔｒｏ細胞処理デバイスの実施形態
図６Ａは、上記のｉｎ  ｖｉｔｒｏ条件付け（刺激）を実施する細胞処理デバイス６００のブロック図を示す。細胞処理デバイス６００は、電気刺激、機械刺激、生物刺激の１つ又は複数を適用することによってｉｎ  ｖｉｔｒｏでドナー細胞を処理する機能的モジュールを含む。ドナー細胞は、培養培地を含む培養モジュール６１０中に配置される。心臓電気刺激子６２０、心筋応力シミュレータ６３０、生物学的処理剤投与モジュール６４０は培養モジュール６１０に接続されて、ドナー細胞への刺激の伝達を可能にする。モニタ６５０は、培養モジュール６１０中のドナー細胞を観察するための手段である。コントローラ６６０は、心臓電気刺激子６２０、心筋応力シミュレータ６３０、生物学的処理剤投与モジュール６４０に接続されて、電気刺激、機械刺激及び／又は生物刺激の伝達についてのタイミングと大きさを制御する。コントローラ６６０に接続されたメモリ回路６７０は、ドナー細胞のｉｎ  ｖｉｔｒｏ条件付けの自動化プロセスのための命令を記憶するための媒体である。ユーザー・インターフェース６８０により、ユーザーはｉｎ  ｖｉｔｒｏ条件付けの進行を制御し、モニタリングすることが可能である。図６Ｂは、細胞処理デバイス６００の部分のさらなる詳細を示す。
【０１６６】
培養モジュール６１０は、ドナー細胞と培養培地を受け入れるための容器を含む。１実施形態において、ドナー細胞６１１は、培養モジュール６１０中の培養基材６１５上に配置される。培養基材６１５は、２つ以上の方向で変形可能であり、周期的に伸長し弛緩できる。１実施形態において、培養基材はシリコン製のストリップである。培養基材６１５が２つ以上の方向で伸長し弛緩する場合、ドナー細胞は、それと共に伸長され弛緩される。１実施形態において、培養モジュール６１０は、均質な培養培地を生成して維持するためのミキサー６１６を含む。１実施形態において、この培養培地は、生物学的条件付けの間に生物刺激として導入される化学的薬剤及び／又は生化学的薬剤を含む。オンにすると、ミキサー６１６は、培養培地をシェーク及び／又は攪拌する。
【０１６７】
心臓電気刺激子６２０は、本文書中に記載されるようなドナー細胞のｉｎ  ｖｉｔｒｏでの電気的な条件付けを提供する。心臓電気刺激子６２０は、培養培地中に心臓の電気的条件を生成し、従って、このような条件にドナー細胞６１１を曝露させる。心臓の電気的条件は、心臓の収縮を生じる心筋中の電気的条件をシミュレートする。１実施形態において、心臓電気刺激子６２０は、電気パルス発生器６２２と電場発生器６２４を含む。パルス発生器６２２に接続された２つの電極６２３Ａ、６２３Ｂが、電流と電圧パルスの形態での電気的エネルギーのドナー細胞６１１への伝達を可能にするために、培養培地中に配置される。電場発生器６２４に接続された２つの電極６２５Ａ、６２５Ｂが、ドナー細胞６１１を横切る電場を生成するために培養培地中に配置される。１実施形態において、電極６２３Ａ、６２５Ａは物理的に統合され、電極６２３Ｂ、６２５Ｂは物理的に統合される。電気的エネルギーの伝達はドナー細胞６１１を活性化して、心筋中の心筋細胞のようにドナー細胞を収縮させる。１実施形態において、パルス発生器６２２はペースメーカーである。電場発生器６２４は、電極６２５Ａ、６２５Ｂの間の既知の距離にわたって電圧を印加することによって電場を生成するｄｃ電圧発生器を含む。
【０１６８】
心筋応力シミュレータ６３０は、本文書中で上記されるようなドナー細胞のｉｎ  ｖｉｔｒｏの機械的条件付けを与える。心筋応力シミュレータ６３０は、ドナー細胞６１１に対する機械的応力を生成する。この機械的応力は、心筋中の心筋細胞に加えられる張力をシミュレートする。この張力は、心臓体積と心臓内血圧の周期的な変化によって生成される機械的力から生じる。１実施形態において、機械適応力シミュレータ６３０は、変速モータ６３２と機械的連結部６３４を含む。機械的連結部６３４は、モータ６３２と培養基材６１５との間の界面を提供して、モータ６３２の制御された動作が培養基材６１５に対して較正された周期的な機械的張力を生成することを可能にする。１実施形態において、機械的連結部６３４は、この培養基材６１５が、振動も躊躇もなく２つ以上の方向で周期的に伸長し弛緩するのを可能にする。上記のように、このような機械刺激子の１例は、Ｔｅｒｒａｃｉｏら、Ｉｎ  Ｖｉｔｒｏ  Ｃｅｌｌｕｌａｒ  ＆  Ｄｅｖｅｌｏｐｍｅｎｔａｌ  Ｂｉｏｌｏｇｙ、２４（１）、５３−５８、１９８８中に与えられる。
【０１６９】
生物学的処理剤投与モジュール６４０は、本文書中に上記されるように、ドナー細胞のｉｎ  ｖｉｔｒｏでの生物学的条件付けを与える。生物学的処理剤投与モジュール６４０は、外因性薬剤を培養培地に導入して、ドナー細胞において１つ又は複数の生物学的反応を引き起こし、従って、ドナー細胞の生物学的特性における１つ又は複数の変化を引き起こす。１実施形態において、生物学的処理剤投与モジュール６４０は、培養培地中への１つ又は複数の化学的薬剤又は生化学的薬剤の制御された放出を可能にするために、１つ又は複数の化学物質ディスペンサー６４２を含む。１実施形態において、生物学的処理剤投与モジュール６４０は、１つ又は複数の所定の時間で培養培地中に所定量の化学的薬剤又は生化学的薬剤を放出するために各々が制御されたディスペンサーのアレイを含む。
【０１７０】
ユーザー・インターフェース６８０は、ユーザーからのコマンドを受容するためのユーザー入力デバイスと、ｉｎ  ｖｉｔｒｏ条件付けの状態と進行をユーザーに知らせるための提示デバイスを含む。１実施形態において、このユーザー入力デバイスはキーボードを含む。この提示デバイスはディスプレイ・スクリーンを含む。別の実施形態において、この提示デバイスはプリンターを含む。なお別の実施形態において、ユーザー入力デバイスと提示デバイスの少なくとも部分は、インタラクティブ・スクリーンとして統合される。
【０１７１】
１実施形態において、モニタ６５０は、基材６１５上のドナー細胞６１１に向けられかつコントローラ６６０に接続された顕微鏡を含む。コントローラ６６０は、ドナー細胞又はその一部分の画像を処理し、ユーザー・インターフェース６８０を介してその画像を提示する。１実施形態において、ドナー細胞の画像は、ユーザー・インターフェース６８０のディスプレイ・スクリーン上に表示される。
【０１７２】
コントローラ６６０は、電気刺激、機械刺激、生物刺激の各々の大きさ（又は強度）を制御し、これらの刺激を伝達するためのタイミングを調和させる。電気刺激の大きさにはペーシング電圧とペプチド・パルス幅が含まれるがこれらに限定されない。機械刺激の大きさには、ドナー細胞の変形（例えば、元の細胞の長さの所定の百分率分の細胞の長さの伸長）の周波数と程度が含まれるがこれらに限定されない。生物刺激の大きさには、各化学的薬剤及び／又は生化学的薬剤の体積と濃度が含まれるがこれらに限定されない。タイミングには、所定の刺激の配列での電気刺激、機械刺激及び／又は生物刺激全て（すなわち、完全なｉｎ  ｖｉｔｒｏ条件付け）の伝達を制御する開始時間と持続時間が含まれるがこれらに限定されない。１実施形態において、ユーザーは、各刺激の大きさとタイミングを規定するパラメータを書き入れ、ユーザー・インターフェース６８０を介して１つの刺激又は１つの刺激の配列を伝達するためのコマンドを与えることによって、完全なｉｎ  ｖｉｔｒｏ条件付けプロセス又はこのプロセスの部分を制御する。別の実施形態において、所定の配列の電気刺激、機械刺激及び／又は生物刺激を規定し、必要な大きさとタイミングを含む命令セットが、メモリ回路６７０中に記憶される。コントローラ６６０は、心臓電気刺激子６２０、機械的応力シミュレータ６３０、生物学的処理剤投与モジュール６４０を、この命令セットを自動的に実行することによって制御する。さらなる実施形態において、コントローラ６６０は、モニタ６５０を介して観察された細胞反応に応答してｉｎ  ｖｉｔｒｏ条件付けの間にこの命令セット中のパラメータをユーザーが調整することを可能にする。
【０１７３】
細胞治療と電気治療の併用実施形態
１実施形態において、骨格筋細胞は、心筋梗塞に最近（例えば、１日〜７日前以内に）罹患した患者から得られる。骨格筋細胞は、（例えば集団を増殖させるために）ｉｎ  ｖｉｔｒｏで培養と条件付けされるか、又は培養するステップと条件付けするステップなしに使用できる。細胞治療の前に、患者の損傷を受けた組織は、従来の手段（例えば、心電図又はＭＲＩ）によって突き止められる。損傷を受けた組織への投与の前に、自家ドナー骨格筋細胞は、非細胞性成分（すなわち、組織培養培地中の成分を含む無傷の細胞以外の成分）を除去するために任意選択で洗浄され、生理学的に適合性の担体（媒体）（例えば、水性媒体、半固体媒体又は固体媒体）中で損傷を受けた組織に導入される。１実施形態において、約１０2〜１０10のドナー骨格筋細胞が、損傷を受けた組織又はその近傍に位置決められた、注射針、複数の針又は注入ポートを含むカテーテルを介して投与される。生体適合性（例えば生体分解性）のマーカーが、ドナー細胞の投与の部位をモニタリングし、処置された領域を任意選択で後に同定するために、これらの骨格筋細胞と共に投与される。一旦投与されると、これらのドナー細胞は、隣接する生存細胞との機能的接続と隣接する生存細胞との膜チャンネルを生じる。
【０１７４】
１実施形態において、患者中の損傷を受けた組織とドナー細胞を含む範囲は次いで、患者中の全体的と局所的な心機能の改善を生じる細胞治療と組み合わせた、適切に位置決められた電極を有するパルス発生器を使用した電気的条件付け（例えば、ペーシング・レベル電気刺激）に供される。固有の房室間隔と比較して相対的に短い房室遅延を使用したＶＤＤペーシングを実施するために、ペースメーカーがプログラムされたペーシング措置が提供される。
【０１７５】
概説
本発明の治療は心臓治療の実施形態で記載されているが、多数の他の適用が可能であることは理解できるであろう。このような教示は、他の器官と血管増殖のｉｎ  ｖｉｔｒｏとｉｎ  ｖｉｖｏでの処置に加えられる。
【０１７６】
上記の記載は例示的であって限定的ではないことを意図していることは理解できるであろうべきである。上記の記載を再検討して理解すると、他の実施形態が当業者に明らかとなる。従って、本発明の範囲は、添付の特許請求の範囲が権利付与される全範囲の等価物と共に、このような特許請求の範囲を参照して決定されるべきである。
【図面の簡単な説明】
【０１７７】
【図１Ａ】本発明の１実施形態に従う細胞治療と電気治療を使用した全体的治療を示す流れ図である。
【図１Ｂ】本発明の１実施形態に従う細胞治療と電気治療を使用した全体的治療を示す流れ図である。
【図１Ｃ】本発明の１実施形態に従う組み合わされた細胞治療と電気治療を使用した、心臓組織を処置するための特定の治療を示す流れ図である。
【図１Ｄ】本発明の別の実施形態に従う組み合わされた細胞治療と電気治療を使用した、心臓組織を処置するための特定の治療を示す流れ図である。
【図２Ａ】本発明の１実施形態に従う細胞治療を与えるためのカテーテル先端の側面図を示す図である。
【図２Ｂ】本発明の１実施形態に従う細胞治療を与えるためのカテーテル先端の上面図を示す図である。
【図２Ｃ】本発明の１実施形態に従う調節可能な湾曲を有するカテーテル先端の１実施形態の側面図を示す図である。
【図２Ｄ】本発明の１実施形態に従う細胞治療を与えるための減圧と針のための別個のチャンネルを有するカテーテル先端の側面図を示す図である。
【図２Ｅ】本発明の１実施形態に従う細胞治療を与えるための薬物貯留部と電極を有するカテーテル先端の側面図を示す図である。
【図２Ｆ】本発明の１実施形態に従う細胞治療を与えるための針アレイを有するカテーテル先端を示す図である。
【図２Ｇ】本発明の１適用に従う細胞治療後の、格納された針アレイと組織と共に図２Ｆのカテーテル先端を示す図である。
【図２Ｈ】本発明の１実施形態に従う細胞治療のための膨張可能なバルーンを有するカテーテル先端を示す図である。
【図３】本発明の１実施形態に従うペースメーカーを示すブロック図である。
【図４】本発明の１実施形態に従う心筋梗塞に従う心臓組織の領域への細胞治療と電気治療の適用の１実施形態を示す図である。
【図５Ａ】本発明の１実施形態に従う埋め込まれた心臓リズム管理デバイスとの使用のためのプログラマーを示す図である。
【図５Ｂ】本発明の１実施形態に従う埋め込まれたデバイスと治療の管理のための、埋め込まれたデバイスと連絡したワイヤレス・デバイスを示す図である。
【図５Ｃ】本発明の１実施形態に従う埋め込まれたデバイスと治療の管理のための、埋め込まれたデバイスと連絡しかつ遠隔設備との連絡のためにネットワークに接続されたワイヤレス・デバイスを示す図である。
【図６Ａ】本発明の１実施形態に従うｉｎ  ｖｉｔｒｏ細胞処理デバイスを示すブロック図である。
【図６Ｂ】本発明の１実施形態に従うｉｎ  ｖｉｔｒｏ細胞処理デバイスの部分のさらなる詳細を示すブロック図である。
【図１Ａ】
2006511312.tif 000003
【図１Ｂ】
2006511312.tif 000004
【図１Ｃ】
2006511312.tif 000005
【図１Ｄ】
2006511312.tif 000006
2006511312.tif 000007
2006511312.tif 000008
2006511312.tif 000009
2006511312.tif 000010
【図３】
2006511312.tif 000011
【図４】
2006511312.tif 000012
【図５Ａ】
2006511312.tif 000013
【図５Ｂ】
2006511312.tif 000014
【図５Ｃ】
2006511312.tif 000015
【図６Ａ】
2006511312.tif 000016
【図６Ｂ】
2006511312.tif 000017
【図４】
2006511312.tif 000018
【国際調査報告】
2006511312.tif 000019
2006511312.tif 000020
2006511312.tif 000021
2006511312.tif 000022
2006511312.tif 000023
2006511312.tif 000024
2006511312.tif 000025